(57)【要約】【課題】進退ガイド部材を入賞口の前方に引っ張り出す不正を防止することが可能な弾球遊技機の提供を目的とする。【解決手段】本発明のパチンコ遊技機１０は、進退ガイド部材２３０の後側摺接面２３６Ｂに段差部２３７を設け、サイド始動入賞口４０Ａの前方に引っ張られた場合に、シーソー部材２５５の下端部に備えた下端連結凸部２５５が段差部２３７のストッパ当接面２３７Ｓに当接して下端連結凸部２５５の摺動を禁止する。これにより、進退ガイド部材２３０がサイド始動入賞口４０Ａの前方に突出することが防止されるので、進退ガイド部材２３０をサイド始動入賞口４０Ａから引っ張り出しておき、その状態で進退ガイド部材２３０により遊技球を入球させるという不正を防止することができる。【選択図】図１５
2010131379.tif 000002
【特許請求の範囲】
【請求項１】
遊技球が流下する遊技板の前面に開放した前面開放入賞口と、
前記前面開放入賞口から前記遊技板の前面側に突出した突出位置と、前記前面開放入賞口の奥に退避した退避位置との間で進退可能で、前記突出位置のときに遊技球を受け止めて前記前面開放入賞口へと案内可能な進退ガイド部材と、
前記遊技板の後面側で前記遊技板と直交する方向に直動可能な直動部材と、
前記遊技板と平行な回動軸で回動可能に支持されて、一端部が記直動駆動源に連結されると共に、前記回動軸を挟んで前記一端部とは反対側の他端部が前記進退ガイド部材に連結され、前記直動部材の直動に伴い前記進退ガイド部材を前記突出位置と前記退避位置との間で進退させるシーソー部材とを備え、
前記直動部材がその直動ストロークの前端位置から遊技機後方に移動したときに、前記シーソー部材の他端部が遊技機前方に回動して前記進退ガイド部材を前記退避位置から前記突出位置に向けて押し出す一方、
前記直動部材がその直動ストロークの後端位置から遊技機前方に移動したときに、前記シーソー部材の他端部が遊技機後方に回動して前記進退ガイド部材を前記突出位置から前記退避位置に向けて引き込むように構成され、
前記進退ガイド部材のうち、前記シーソー部材の他端部が遊技機後方に回動した場合に、前記シーソー部材の他端部が押圧しかつ摺接する後側摺接面には、前記進退ガイド部材が前記退避位置に位置する状態から、前記進退ガイド部材が前記前面開放入賞口の前方に引っ張られた場合に、前記シーソー部材の他端部の摺接を禁止するシーソー用ストッパ突部が設けられたことを特徴とする弾球遊技機。
【請求項２】
前記遊技板と平行かつ水平な回動軸を中心にして回動して前記前面開放入賞口を開閉する回動扉を設け、
前記回動扉は、前記進退ガイド部材が前記退避位置から前記突出位置に移動する過程で前記進退ガイド部材との当接により回動して前記前面開放入賞口を開放し、
前記進退ガイド部材が前記突出位置から前記退避位置に移動する過程で自重により回動して前記前面開放入賞口を閉鎖することを特徴とする請求項１に記載の弾球遊技機。
【請求項３】
前記進退ガイド部材の上面には、受け止めた遊技球を前記進退ガイド部材の上面で転動させる突起部が形成されたことを特徴とする請求項１又は２に記載の弾球遊技機。
【請求項４】
遊技球が流下する遊技板の前面に開放した前面開放入賞口と、
前記前面開放入賞口を前端部に備えた遊技球導入孔と、
突片状をなして、前記遊技球導入孔の下端部で前後方向に直動して前端作動位置と後端退避位置との間を往復動し、前記前端作動位置に配置されたときには、前記前面開放入賞口から前方に突出して、前記遊技板の前面を流下する遊技球を受け止めて前記遊技球導入孔内に取り込み可能になる一方、前記後端退避位置に配置されたときには、前記前面開放入賞口の奥側に退避して、その前面開放入賞口の前を遊技球が素通り可能な状態にする可動舌片と、
前記可動舌片を直動させるための直動駆動源と、
前記遊技板の後面側に配置されて、前記直動駆動源によって前後方向に直動される直動部材と、
前記遊技板の前面と平行かつ水平な回動軸を中心に回動し、一端部が前記直動部材に連結されると共に、前記回動軸を挟んで前記一端部とは反対側の他端部が前記可動舌片に連結され、前記直動部材の直動に伴い前記可動舌片を前記前端作動位置と前記後端退避位置との間で直動させるシーソー部材と、
前記遊技球導入孔内で前記可動舌片の上方に配置されて、前記遊技板の前面と平行かつ水平な回動軸を中心に回動し、前記可動舌片が前記後端退避位置に配置されたときに、前記前面開放入賞口を閉塞する閉塞端位置に位置する一方、前記可動舌片が前記前端作動位置に配置されたときに、前記前面開放入賞口を開放する開放端位置に位置するように前記可動舌片に対して連動する回動扉と、
前記回動扉と一体に回動する扉回動突部と、
前記可動舌片と一体に直動し、前記可動舌片が前記後端退避位置に配置されたときに、前記扉回動突部に対して上下方向で対向して、前記回動扉が前記開放端位置側に回動することを規制する一方、前記可動舌片が前記後端退避位置から前記前端作動位置に向かって移動する間に、前記扉回動突部に対して上下方向で対向する位置から外れて、前記回動扉が前記開放端位置側に回動することを許容する扉用ストッパ部とを備え、
前記直動部材がその直動ストロークの前端位置から弾球遊技機後方に移動したときに、前記シーソー部材の他端部が弾球遊技機前方に回動して前記可動舌片を前記後端退避位置から前記前端作動位置に向けて押し出す一方、前記直動部材がその直動ストロークの後端位置から弾球遊技機前方に移動したときに、前記シーソー部材の他端部が弾球遊技機後方に回動して前記可動舌片を前記前端作動位置から前記後端退避位置に向けて引き込むように構成され、
前記可動舌片のうち、前記シーソー部材の他端部が弾球遊技機後方に回動した場合に、前記シーソー部材の他端部が押圧しかつ摺接する後側摺接面には、前記可動舌片が前記後端退避位置に位置する状態から、前記可動舌片が前記前面開放入賞口の前方に引っ張られた場合に、前記シーソー部材の他端部の摺接を禁止するシーソー用ストッパ部が設けられたことを特徴とする弾球遊技機。
【請求項５】
前記可動舌片と一体に直動し、前記閉塞端位置の前記回動扉における前記扉回動突部を、前記可動舌片が前記後端退避位置から前記前端作動位置に移動するときに後側から押圧して、前記回動扉を前記開放端位置へと回動させる開放押圧部と、
前記可動舌片に一体に直動しかつ前記開放押圧部より前側に配置され、前記開放端位置の前記回動扉における前記扉回動突部を、前記可動舌片が前記前端作動位置から前記後端退避位置に移動するときに前側から押圧して、前記回動扉を前記閉塞端位置へと回動させる閉塞押圧部とを備え、
前記扉用ストッパを前記可動舌片のうち前記閉塞押圧部より前側に配置したことを特徴とする請求項４に記載の弾球遊技機。
【請求項６】
前記閉塞端位置の前記回動扉の前記扉回動突部と前記開放押圧部との間には、前記可動舌片が前進を開始して一部が前記前面開放入賞口から突出した前向き中間位置に到るまで、前記扉回動突部と前記開放押圧部とを当接させないための第１の空間が設けられ、前記可動舌片が前記前向き中間位置より前進したときに前記開放押圧部による前記扉回動突部の押圧が開始されるようにしたことを特徴とする請求項５に記載の弾球遊技機。
【請求項７】
前記開放端位置の前記回動扉における前記扉回動突部と前記閉塞押圧部との間には、前記可動舌片が後退を開始して前記可動舌片のうち前記前面開放入賞口から突出した部分の一部又は全体が前記前面開放入賞口内に移動した後向き中間位置に到るまで、前記扉回動突部と前記閉塞押圧部とを当接させないための第２の空間が設けられ、前記可動舌片が前記後向き中間位置より後退したときに前記閉塞押圧部による前記扉回動突部の押圧が開始されるようにしたことを特徴とする請求項５又は６に記載の弾球遊技機。
【請求項８】
前記可動舌片の上面における側部には、上方に向かって突出した前側押圧突部と、前記前側押圧突部の後側に間隔を空けて配置されかつ前記前側押圧突部より高く突出した後側押圧突部とが備えられ、
前記後側押圧突部の前面が前記開放押圧部をなし、
前記前側押圧突部の後面が前記閉塞押圧部をなすと共に、前記前側押圧突部の上面が前記扉用ストッパ部をなしたことを特徴とする請求項５乃至７の何れか１の請求項に記載の弾球遊技機。
【請求項９】
前記回動扉のうちその回動方向における前記扉回動突部の隣には、前記回動扉が前記開放端位置側に回動したときに前記後側押圧突部の上面に当接して前記回動扉を前記開放端位置に位置決めするための位置決め当接部が備えられていることを特徴とする請求項８に記載の弾球遊技機。
【請求項１０】
前記扉回動突部を、前記回動扉の両側部に対にして設けると共に、前記前側押圧突部及び前記後側押圧突部を、前記可動舌片の上面における両側部に対にして設けたことを特徴とする請求項８又は９に記載の弾球遊技機。
【請求項１１】
前記可動舌片の上面における両側部には、前記前側押圧突部より前側部分に、両側方に向かって下るように傾斜した１対の外下り傾斜面が形成されると共に、前記可動舌片の上面のうち前記１対の外下り傾斜面の間には、後方に向かって下るように傾斜した引き込み傾斜面が形成されていることを特徴とする請求項１０に記載の弾球遊技機。
【請求項１２】
前記引き込み傾斜面は、前記可動舌片の横幅方向の中央に向かって下るように傾斜していることを特徴とする請求項１１に記載の弾球遊技機。
【請求項１３】
遊技球が前面を流下する遊技板を前後に貫通した遊技球導入孔と、
前記遊技球導入孔の前端に設けられて、前記遊技板の前面に開放した前面開放入賞口と、
突片状をなして、前記遊技球導入孔の下端部で前後方向に直動して前端作動位置と後端退避位置との間を往復動し、前記前端作動位置に配置されたときには、前記前面開放入賞口から前方に突出し、前記遊技板の前面を流下する遊技球を受け止めて前記遊技球導入孔内に取り込み可能な状態にする一方、前記後端退避位置に配置されたときには、前記前面開放入賞口の奥側に退避して、その前面開放入賞口の前を遊技球が素通り可能な状態にする可動舌片と、
前記可動舌片を直動させるための直動駆動源と、
前記遊技板の後面側に配置されて、前記直動駆動源によって前後方向に直動される直動部材と、
前記遊技板の前面と平行かつ水平な回動軸を中心に回動し、一端部が前記直動部材に連結されると共に、前記回動軸を挟んで前記一端部とは反対側の他端部が前記可動舌片に連結され、前記直動部材の直動に伴い前記可動舌片を前記前端作動位置と前記後端退避位置との間で直動させるシーソー部材と、
前記遊技球導入孔内で前記可動舌片の上方に配置されて、前記前面開放入賞口を開放する開放端位置と、前記前面開放入賞口を閉塞する閉塞端位置との間を回動する回動扉と、
前記回動扉と一体に回動する扉回動突部と、
前記可動舌片と一体に直動し、前記閉塞端位置の前記回動扉における前記扉回動突部を、前記可動舌片が前記後端退避位置から前記前端作動位置に移動するときに後側から押圧して、前記回動扉を前記開放端位置へと回動させる開放押圧部と、
前記可動舌片と一体に直動しかつ前記開放押圧部より前側に配置され、前記開放端位置の前記回動扉における前記扉回動突部を、前記可動舌片が前記前端作動位置から前記後端退避位置に移動するときに前側から押圧して、前記回動扉を前記閉塞端位置へと回動させる閉塞押圧部とを備え、
前記閉塞端位置の前記回動扉の前記扉回動突部と前記開放押圧部との間には、前記可動舌片が前進を開始して一部が前記前面開放入賞口から突出した前向き中間位置に到るまで、前記扉回動突部と前記開放押圧部とを当接させないための第１の空間が設けられ、前記可動舌片が前記前向き中間位置より前進したときに前記開放押圧部による前記扉回動突部の押圧が開始されるように構成され、
前記直動部材がその直動ストロークの前端位置から弾球遊技機後方に移動したときに、前記シーソー部材の他端部が弾球遊技機前方に回動して前記可動舌片を前記後端退避位置から前記前端作動位置に向けて押し出す一方、前記直動部材がその直動ストロークの後端位置から弾球遊技機前方に移動したときに、前記シーソー部材の他端部が弾球遊技機後方に回動して前記可動舌片を前記前端作動位置から前記後端退避位置に向けて引き込むように構成され、
前記可動舌片のうち、前記シーソー部材の他端部が弾球遊技機後方に回動した場合に、前記シーソー部材の他端部が押圧しかつ摺接する後側摺接面には、前記可動舌片が前記後端退避位置に位置する状態から、前記可動舌片が前記前面開放入賞口の前方に引っ張られた場合に、前記シーソー部材の他端部の摺接を禁止するシーソー用ストッパ部が設けられたことを特徴とする弾球遊技機。
【請求項１４】
前記回動扉は、回動に伴う重心移動により前記開放端位置及び前記閉塞端位置とに保持されるように構成したことを特徴とする請求項４乃至１３の何れか１の請求項に記載の弾球遊技機。
【請求項１５】
前記回動扉には、前記閉塞端位置で前記前面開放入賞口を介して前側に臨む扉主体壁と、前記扉主体壁の上端部から後方に直角曲げされた入賞補助壁と、前記扉主体壁と前記入賞補助壁との両側端部に直交して、それら前記扉主体壁及び前記入賞補助壁の内側空間を両側方から覆った１対の側部壁とが備えられ、
前記扉主体壁の内面は、前記回動扉が前記開放端位置から前記閉塞端位置に移動する過程で前記可動舌片上の遊技球を前記前面開放入賞口の奥側に掻き込むことが可能な誘導面になっていることを特徴とする請求項４乃至１４の何れか１の請求項に記載の弾球遊技機。
【請求項１６】
前記扉回動突部は、前記回動扉の前記側部壁を回転軸を挟んで前記扉主体壁と反対側に延長してなることを特徴とする請求項１５に記載の弾球遊技機。
【発明の詳細な説明】
【技術分野】
【０００１】
本発明は、弾球遊技機に関する。
【背景技術】
【０００２】
従来の弾球遊技機として、遊技板の前面に開口した入賞口と、その入賞口から前後方向に進退する進退ガイド部材とを備え、進退ガイド部材が入賞口から突出したときに遊技球を受け止めて入賞口へと案内することが可能な弾球遊技機が知られている。
【０００３】
なお、本件に類似する従来技術としては、入賞口の左右両側に可動翼片を備え、通常は、可動翼片が起立状態になって遊技球の入球を規制する一方、可動翼片が横に倒されたときにそれら可動翼片で遊技球を受け止めて入賞口に案内するものがある（例えば、特許文献１参照）。
【先行技術文献】
【特許文献】
【０００４】
【特許文献１】特開２００３−３４００２０号公報（第６図）
【発明の概要】
【発明が解決しようとする課題】
【０００５】
ところが、上述した進退ガイド部材を備えた従来の弾球遊技機では、例えば、弾球遊技機の隙間から挿入した針金等で進退ガイド部材を入賞口から引っ張り出しておき、その状態で遊技を行って進退ガイド部材により遊技球を入賞口に入球させるという不正が行われる可能性があった。
【０００６】
本発明は、上記事情に鑑みてなされたもので、進退ガイド部材を入賞口の前方に引っ張り出す不正を防止することが可能な弾球遊技機の提供を目的とする。
【課題を解決するための手段】
【０００７】
上記目的を達成するためになされた請求項１の発明に係る弾球遊技機は、遊技球が流下する遊技板の前面に開放した前面開放入賞口と、前面開放入賞口から遊技板の前面側に突出した突出位置と、前面開放入賞口の奥に退避した退避位置との間で進退可能で、突出位置のときに遊技球を受け止めて前面開放入賞口へと案内可能な進退ガイド部材と、遊技板の後面側で遊技板と直交する方向に直動可能な直動部材と、遊技板と平行な回動軸で回動可能に支持されて、一端部が直動部材に連結されると共に、回動軸を挟んで一端部とは反対側の他端部が進退ガイド部材に連結され、直動部材の直動に伴い進退ガイド部材を突出位置と退避位置との間で進退させるシーソー部材とを備え、直動部材がその直動ストロークの前端位置から遊技機後方に移動したときに、シーソー部材の他端部が遊技機前方に回動して進退ガイド部材を退避位置から突出位置に向けて押し出す一方、直動部材がその直動ストロークの後端位置から遊技機前方に移動したときに、シーソー部材の他端部が遊技機後方に回動して進退ガイド部材を突出位置から退避位置に向けて引き込むように構成され、進退ガイド部材のうち、シーソー部材の他端部が遊技機後方に回動した場合に、シーソー部材の他端部が押圧しかつ摺接する後側摺接面には、進退ガイド部材が退避位置に位置する状態から、進退ガイド部材が前面開放入賞口の前方に引っ張られた場合に、シーソー部材の他端部の摺接を禁止するストッパ突部が設けられたところに特徴を有する。
【０００８】
請求項２の発明は、請求項１に記載の弾球遊技機において、遊技板と平行かつ水平な回動軸を中心にして回動して前面開放入賞口を開閉する回動扉を設け、回動扉は、進退ガイド部材が退避位置から突出位置に移動する過程で進退ガイド部材との当接により回動して前面開放入賞口を開放し、進退ガイド部材が突出位置から退避位置に移動する過程で自重により回動して前面開放入賞口を閉鎖するところに特徴を有する。
【０００９】
請求項３の発明は、請求項１又は２に記載の弾球遊技機において、進退ガイド部材の上面には、受け止めた遊技球を進退ガイド部材の上面で転動させる突起部が形成されたところに特徴を有する。
【００１０】
請求項４の発明に係る弾球遊技機は、遊技球が流下する遊技板の前面に開放した前面開放入賞口と、前面開放入賞口を前端部に備えた遊技球導入孔と、突片状をなして、遊技球導入孔の下端部で前後方向に直動して前端作動位置と後端退避位置との間を往復動し、前端作動位置に配置されたときには、前面開放入賞口から前方に突出して、遊技板の前面を流下する遊技球を受け止めて遊技球導入孔内に取り込み可能になる一方、後端退避位置に配置されたときには、前面開放入賞口の奥側に退避して、その前面開放入賞口の前を遊技球が素通り可能な状態にする可動舌片と、可動舌片を直動させるための直動駆動源と、遊技板の後面側に配置されて、直動駆動源によって前後方向に直動される直動部材と、遊技板の前面と平行かつ水平な回動軸を中心に回動し、一端部が直動部材に連結されると共に、回動軸を挟んで一端部とは反対側の他端部が可動舌片に連結され、直動部材の直動に伴い可動舌片を前端作動位置と後端退避位置との間で直動させるシーソー部材と、遊技球導入孔内で可動舌片の上方に配置されて、遊技板の前面と平行かつ水平な回動軸を中心に回動し、可動舌片が後端退避位置に配置されたときに、前面開放入賞口を閉塞する閉塞端位置に位置する一方、可動舌片が前端作動位置に配置されたときに、前面開放入賞口を開放する開放端位置に位置するように可動舌片に対して連動する回動扉と、回動扉と一体に回動する扉回動突部と、可動舌片と一体に直動し、可動舌片が後端退避位置に配置されたときに、扉回動突部に対して上下方向で対向して、回動扉が開放端位置側に回動することを規制する一方、可動舌片が後端退避位置から前端作動位置に向かって移動する間に、扉回動突部に対して上下方向で対向する位置から外れて、回動扉が開放端位置側に回動することを許容する扉用ストッパ部とを備え、直動部材がその直動ストロークの前端位置から弾球遊技機後方に移動したときに、シーソー部材の他端部が弾球遊技機前方に回動して可動舌片を後端退避位置から前端作動位置に向けて押し出す一方、直動部材がその直動ストロークの後端位置から弾球遊技機前方に移動したときに、シーソー部材の他端部が弾球遊技機後方に回動して可動舌片を前端作動位置から後端退避位置に向けて引き込むように構成され、可動舌片のうち、シーソー部材の他端部が弾球遊技機後方に回動した場合に、シーソー部材の他端部が押圧しかつ摺接する後側摺接面には、可動舌片が後端退避位置に位置する状態から、可動舌片が前面開放入賞口の前方に引っ張られた場合に、シーソー部材の他端部の摺接を禁止するシーソー用ストッパ部が設けられたところに特徴を有する。
【００１１】
請求項５の発明は、請求項４に記載の弾球遊技機において、可動舌片と一体に直動し、閉塞端位置の回動扉における扉回動突部を、可動舌片が後端退避位置から前端作動位置に移動するときに後側から押圧して、回動扉を開放端位置へと回動させる開放押圧部と、可動舌片に一体に直動しかつ開放押圧部より前側に配置され、開放端位置の回動扉における扉回動突部を、可動舌片が前端作動位置から後端退避位置に移動するときに前側から押圧して、回動扉を閉塞端位置へと回動させる閉塞押圧部とを備え、扉用ストッパを可動舌片のうち閉塞押圧部より前側に配置したところに特徴を有する。
【００１２】
請求項６の発明は、請求項５に記載の弾球遊技機において、閉塞端位置の回動扉の扉回動突部と開放押圧部との間には、可動舌片が前進を開始して一部が前面開放入賞口から突出した前向き中間位置に到るまで、扉回動突部と開放押圧部とを当接させないための第１の空間が設けられ、可動舌片が前向き中間位置より前進したときに開放押圧部による扉回動突部の押圧が開始されるようにしたところに特徴を有する。
【００１３】
請求項７の発明は、請求項５又は６に記載の弾球遊技機において、開放端位置の回動扉における扉回動突部と閉塞押圧部との間には、可動舌片が後退を開始して可動舌片のうち前面開放入賞口から突出した部分の一部又は全体が前面開放入賞口内に移動した後向き中間位置に到るまで、扉回動突部と閉塞押圧部とを当接させないための第２の空間が設けられ、可動舌片が後向き中間位置より後退したときに閉塞押圧部による扉回動突部の押圧が開始されるようにしたところに特徴を有する。
【００１４】
請求項８の発明は、請求項５乃至７の何れか１の請求項に記載の弾球遊技機において、可動舌片の上面における側部には、上方に向かって突出した前側押圧突部と、前側押圧突部の後側に間隔を空けて配置されかつ前側押圧突部より高く突出した後側押圧突部とが備えられ、後側押圧突部の前面が開放押圧部をなし、前側押圧突部の後面が閉塞押圧部をなすと共に、前側押圧突部の上面が扉用ストッパ部をなしたところに特徴を有する。
【００１５】
請求項９の発明は、請求項８に記載の弾球遊技機において、回動扉のうちその回動方向における扉回動突部の隣には、回動扉が開放端位置側に回動したときに後側押圧突部の上面に当接して回動扉を開放端位置に位置決めするための位置決め当接部が備えられているところに特徴を有する。
【００１６】
請求項１０の発明は、請求項８又は９に記載の弾球遊技機において、扉回動突部を、回動扉の両側部に対にして設けると共に、前側押圧突部及び後側押圧突部を、可動舌片の上面における両側部に対にして設けたところに特徴を有する。
【００１７】
請求項１１の発明は、請求項１０に記載の弾球遊技機において、可動舌片の上面における両側部には、前側押圧突部より前側部分に、両側方に向かって下るように傾斜した１対の外下り傾斜面が形成されると共に、可動舌片の上面のうち１対の外下り傾斜面の間には、後方に向かって下るように傾斜した引き込み傾斜面が形成されているところに特徴を有する。
【００１８】
請求項１２の発明は、請求項１１に記載の弾球遊技機において、引き込み傾斜面は、可動舌片の横幅方向の中央に向かって下るように傾斜しているところに特徴を揺する。
【００１９】
請求項１３の発明に係る弾球遊技機は、遊技球が前面を流下する遊技板を前後に貫通した遊技球導入孔と、遊技球導入孔の前端に設けられて、遊技板の前面に開放した前面開放入賞口と、突片状をなして、遊技球導入孔の下端部で前後方向に直動して前端作動位置と後端退避位置との間を往復動し、前端作動位置に配置されたときには、前面開放入賞口から前方に突出し、遊技板の前面を流下する遊技球を受け止めて遊技球導入孔内に取り込み可能な状態にする一方、後端退避位置に配置されたときには、前面開放入賞口の奥側に退避して、その前面開放入賞口の前を遊技球が素通り可能な状態にする可動舌片と、可動舌片を直動させるための直動駆動源と、遊技板の後面側に配置されて、直動駆動源によって前後方向に直動される直動部材と、遊技板の前面と平行かつ水平な回動軸を中心に回動し、一端部が直動部材に連結されると共に、回動軸を挟んで一端部とは反対側の他端部が可動舌片に連結され、直動部材の直動に伴い可動舌片を前端作動位置と後端退避位置との間で直動させるシーソー部材と、遊技球導入孔内で可動舌片の上方に配置されて、前面開放入賞口を開放する開放端位置と、前面開放入賞口を閉塞する閉塞端位置との間を回動する回動扉と、回動扉と一体に回動する扉回動突部と、可動舌片と一体に直動し、閉塞端位置の回動扉における扉回動突部を、可動舌片が後端退避位置から前端作動位置に移動するときに後側から押圧して、回動扉を開放端位置へと回動させる開放押圧部と、可動舌片と一体に直動しかつ開放押圧部より前側に配置され、開放端位置の回動扉における扉回動突部を、可動舌片が前端作動位置から後端退避位置に移動するときに前側から押圧して、回動扉を閉塞端位置へと回動させる閉塞押圧部とを備え、閉塞端位置の回動扉の扉回動突部と開放押圧部との間には、可動舌片が前進を開始して一部が前面開放入賞口から突出した前向き中間位置に到るまで、扉回動突部と開放押圧部とを当接させないための第１の空間が設けられ、可動舌片が前向き中間位置より前進したときに開放押圧部による扉回動突部の押圧が開始されるように構成され、直動部材がその直動ストロークの前端位置から弾球遊技機後方に移動したときに、シーソー部材の他端部が弾球遊技機前方に回動して可動舌片を後端退避位置から前端作動位置に向けて押し出す一方、直動部材がその直動ストロークの後端位置から弾球遊技機前方に移動したときに、シーソー部材の他端部が弾球遊技機後方に回動して可動舌片を前端作動位置から後端退避位置に向けて引き込むように構成され、可動舌片のうち、シーソー部材の他端部が弾球遊技機後方に回動した場合に、シーソー部材の他端部が押圧しかつ摺接する後側摺接面には、可動舌片が後端退避位置に位置する状態から、可動舌片が前面開放入賞口の前方に引っ張られた場合に、シーソー部材の他端部の摺接を禁止するシーソー用ストッパ部が設けられたところに特徴を有する。
【００２０】
請求項１４の発明は、請求項４乃至１３の何れか１の請求項に係る弾球遊技機において、回動扉は、回動に伴う重心移動により開放端位置及び閉塞端位置とに保持されるように構成したところに特徴を有する。
【００２１】
請求項１５の発明は、請求項４乃至１４の何れか１の請求項に記載の弾球遊技機において、回動扉には、閉塞端位置で前面開放入賞口を介して前側に臨む扉主体壁と、扉主体壁の上端部から後方に直角曲げされた入賞補助壁と、扉主体壁と入賞補助壁との両側端部に直交して、それら扉主体壁及び入賞補助壁の内側空間を両側方から覆った１対の側部壁とが備えられ、扉主体壁の内面は、回動扉が開放端位置から閉塞端位置に移動する過程で可動舌片上の遊技球を前面開放入賞口の奥側に掻き込むことが可能な誘導面になっているところに特徴を有する。
【００２２】
請求項１６の発明は、請求項１５に記載の弾球遊技機において、扉回動突部は、回動扉の側部壁を回転軸を挟んで扉主体壁と反対側に延長してなるところに特徴を有する。
【発明の効果】
【００２３】
［請求項１の発明］
請求項１の弾球遊技機では、進退ガイド部材が退避位置に位置する状態から前面開放入賞口の前方に引っ張られた場合に、進退ガイド部材に備えたシーソー用ストッパ突部が、シーソー部材の他端部と後側摺接面との摺接を禁じるから、進退ガイド部材が前方に移動することが不可能となり、前面開放入賞口から突出させることができなくなる。これにより、進退ガイド部材を前面開放入賞口から引っ張り出して、その進退ガイド部材により遊技球を入球させるという不正を防止することができる。
【００２４】
［請求項２の発明］
請求項２の発明によれば、回動扉は、進退ガイド部材が退避位置に位置するときには前面開放入賞口を閉鎖し、進退ガイド部材が突出位置に位置するときに前面開放入賞口を開放するので、遊技球を前面開放入賞口に案内する進退ガイド部材の存在意義が高まる。また、進退ガイド部材を前面開放入賞口の前方に突出させないと前面開放入賞口が開放しないので、前面開放入賞口に対する遊技球の不正な入球を確実に防止することができる。さらに、進退ガイド部材を進退させる駆動源と、回動扉を回動させる駆動源とを共通化することができる。換言すれば、回動扉を回動させるための専用の駆動源が不要となりコストダウンを図ることができる。
【００２５】
［請求項３の発明］
請求項３の発明によれば、進退ガイド部材の上面で遊技球を転動させることで、進退ガイド部材に一旦は受け止められた遊技球が、前面開放入賞口に入球せずに落下することもあり、進退ガイド部材で受け止められた遊技球の行方に興味を抱かせることができる。
【００２６】
［請求項４の発明］
請求項４の発明によれば、可動舌片が後端退避位置に位置する状態から前面開放入賞口の前方に引っ張られた場合に、可動舌片に備えたシーソー用ストッパ突部が、シーソー部材の他端部と後側摺接面との摺接を禁じるから、可動舌片が前方に移動することが不可能となり、前面開放入賞口から突出させることができなくなる。これにより、可動舌片を前面開放入賞口から引っ張り出して、その可動舌片により遊技球を入球させるという不正を防止することができる。これに加え、本発明の弾球遊技機では、回動扉の不正な開放を確実に防止することができる。即ち、本発明の構成によれば、可動舌片が前面開放入賞口の奥側に配置され、回動扉が前面開放入賞口を閉塞した状態で、可動舌片の扉用ストッパ部が、その可動方向と直交する上下方向で回動扉の扉回動突部と対向して回動扉の開動作を規制するので、回動扉に不正な外力が加えられたときに、可動舌片の扉用ストッパ部は、その可動方向と直交する方向で不正な外力を受け止めることができる。これにより、扉用ストッパ部は、可動方向に動かされずに、回動扉の不正な開放を確実に防止することができる。なお、可動舌片が前進したとき、扉用ストッパ部と扉回動突部とが上下方向で対向しなくなり、回動扉の開動作が許容される。
【００２７】
［請求項５，８，９，１０，１１及び１２の発明］
請求項５の弾球遊技機では、可動舌片が前面開放入賞口の前側に突出し、回動扉が開いた状態から可動舌片が後退するときに、可動舌片の閉塞押圧部が、回動扉の扉回動突部を前側から押圧して回動扉を閉じ、さらに、可動舌片が後退して扉用ストッパが回動扉の扉回動突部と上下方向で対向する。一方、可動舌片が前面開放入賞口の奥側に退避し、回動扉が閉じた状態から可動舌片が前進するときに、可動舌片が扉用ストッパを通過してから、可動舌片の開放押圧部が回動扉の扉回動突部を後側から押圧して回動扉を開く。このように、本発明の構成によれば、可動舌片を直動させる動力を利用して、回動扉を回動させることができると共に、回動扉を閉じてから不正開放を禁止した状態にスムーズに移行することができる。
【００２８】
ここで、開放押圧部、閉塞押圧部及び扉用ストッパを備えるために、例えば、可動舌片を上下方向に貫通した貫通孔を設けて、その貫通孔における対向面を開放押圧部及び閉塞押圧部とし、貫通孔より前側の上面を扉用ストッパとしてもよいし、請求項８の発明のように、可動舌片から上方に突出した前側押圧突部及び後側押圧突部を設けて、後側押圧突部の前面を開放押圧部とし、前側押圧突部の後面が閉塞押圧部としてもよい。この場合、回動扉に設けた位置決め当接部が、後側押圧突部の上面に当接して回動扉を開放端位置に位置決めする構成とすれば（請求項９の発明）、回動扉の過度の開放を防ぎ、回動扉の開閉動作を安定させることができる。
【００２９】
また、扉回動突部を対にして設けると共に、前側押圧突部及び後側押圧突部も、可動舌片の上面における両側部に対をなして設けた構成にすれば（請求項１０の発明）、扉回動突部、前側押圧突部及び後側押圧突部への負荷が分散され、耐久性を向上させることができる。
【００３０】
さらに、可動舌片の上面における両側部に１対の外下り傾斜面を形成すると共に、それら１対の外下り傾斜面の間には、後方に向かって下るように傾斜した引き込み傾斜面を形成すれば（請求項１１の発明）、可動舌片は前面開放入賞口への遊技球のガイドばかりではなく、外下り傾斜面によって前面開放入賞口から遊技球が外れるようにガイドすることもでき、遊技の趣向性が向上する。また、その引き込み傾斜面を可動舌片の横幅方向の中央に向かって下るように傾斜させれば（請求項１２の発明）、一度、引き込み傾斜面上に載った遊技球が可動舌片からこぼれ落ちるのを防ぐことができる。
【００３１】
［請求項５の発明］
請求項５の構成では、閉塞端位置の回動扉の扉回動突部と開放押圧部との間に第１の空間を設けたことで、可動舌片が前進を開始して一部が前面開放入賞口から突出した前向き中間位置に到るまでは、開放押圧部は第１の空間を移動することになり、この間、回動扉は閉じた状態に維持される。そして、可動舌片が前向き中間位置を通過して前進したときに開放押圧部による扉回動突部の押圧が開始されて、可動舌片の前進に伴って回動扉が開く。このように、本発明によれば、可動舌片が前進を開始して途中までは回動扉が停止していて、途中から回動扉が開き始めるという、今までにはない２ステップの新鮮な動作で前面開放入賞口を開くことができ、これにより趣向性を向上させることができる。
【００３２】
［請求項６の発明］
請求項６の構成では、開放端位置の回動扉の扉回動突部と閉塞押圧部との間に第２の空間を設けたことで、可動舌片が後退を開始して一部又は全体が前面開放入賞口内に移動した後向き中間位置に到るまでは、閉塞押圧部は第２の空間を移動することになり、この間、回動扉は開いた状態に維持される。そして、可動舌片が後向き中間位置を通過して後退したときに閉塞押圧部による扉回動突部の押圧が開始されて、可動舌片の後退に伴って回動扉が閉じる。このように、本発明によれば、可動舌片が後退を開始して途中までは回動扉が停止していて、途中から回動扉が閉じ始めるという、今までにはない２ステップの新鮮な動作で前面開放入賞口を閉じることができ、これにより趣向性を向上させることができる。
【００３３】
［請求項１３の発明］
請求項１３の発明によれば、可動舌片が後端退避位置に位置する状態から前面開放入賞口の前方に引っ張られた場合に、可動舌片に備えたシーソー用ストッパ突部が、シーソー部材の他端部と後側摺接面との摺接を禁じるから、可動舌片が前方に移動することが不可能となり、前面開放入賞口から突出させることができなくなる。これにより、可動舌片を前面開放入賞口から引っ張り出して、その可動舌片により遊技球を入球させるという不正を防止することができる。これに加え、本発明の弾球遊技機では、閉塞端位置の回動扉の扉回動突部と開放押圧部との間に第１の空間を設けたことで、可動舌片が前進を開始して一部が前面開放入賞口から突出した前向き中間位置に到るまでは、開放押圧部は第１の空間を移動することになり、この間、回動扉は閉じた状態に維持される。そして、可動舌片が前向き中間位置を通過して前進したときに開放押圧部による扉回動突部の押圧が開始されて、可動舌片の前進に伴って回動扉が開く。このように、本発明によれば、可動舌片が前進を開始して途中までは回動扉が停止していて、途中から回動扉が開き始めるという、今までにはない２ステップの新鮮な動作で前面開放入賞口を開くことができ、この点においても趣向性を向上させることができる。
【００３４】
［請求項１４の発明］
請求項１４の弾球遊技機では、回動扉をその重心移動により開放端位置と閉塞端位置とに保持することができる。
【００３５】
［請求項１５の発明］
請求項１５の弾球遊技機では、回動扉が開放端位置から閉塞端位置に移動する過程で可動舌片上の遊技球を、回動扉の誘導面によって前面開放入賞口の奥側に掻き込むことで、遊技者を楽しませることができる。
【００３６】
［請求項１６の発明］
請求項１６の発明によれば、扉回動突部が回動扉の側部壁に一体に形成して、回動扉を簡易な構成にすることが可能になる。
【００３７】
なお、本願明細書において「入賞口」とは、遊技球が入球可能であると共に、遊技球の入球によって遊技者に利益が付与される部位をいう。また、本願明細書において、「入賞口に遊技球が入賞する」とは、「入賞口に遊技球が入球する」と同義である。
【図面の簡単な説明】
【００３８】
【図１】本発明の第１実施形態に係るパチンコ遊技機の正面図
【図２】遊技板の正面図
【図３】表示枠体の斜視図
【図４】表示枠体の斜視図
【図５】右側サイド誘導部材の斜視図
【図６】遊技板の一部正面図
【図７】右サイド入賞ユニットを後方から見た分解斜視図
【図８】右サイド入賞ユニットを上方から見た分解斜視図
【図９】入賞機構部のうち回動扉を排除した状態の斜視図
【図１０】入賞機構部の斜視図
【図１１】入賞機構部の斜視図
【図１２】シーソー部材の（Ａ）側面図、（Ｂ）側断面図
【図１３】進退ガイド部材の（Ａ）斜視図、（Ｂ）正面図
【図１４】進退ガイド部材の（Ａ）平面図、（Ｂ）Ｘ−Ｘ断面図
【図１５】（Ａ）進退ガイド部材が退避位置に位置するときの入賞機構部の側面図、（Ｂ）進退ガイド部材が突出位置に位置するときの入賞機構部の側面図
【図１６】シーソー部材と後側摺接面との摺接状態を示す側面図
【図１７】第２実施形態に係る回動扉の斜視図
【図１８】可動舌片の斜視図
【図１９】可動舌片の正面図
【図２０】可動舌片の上面図
【図２１】可動舌片のＡ−Ａ断面図
【図２２】可動舌片が後端退避位置に位置するときの回動扉の開閉状態を示す側断面図
【図２３】可動舌片が前進するときの回動扉の開閉状態を示す側断面図
【図２４】可動舌片が前端作動位置に位置するときの回動扉の開閉状態を示す側断面図
【図２５】可動舌片が後退するときの回動扉の開閉状態を示す側断面図
【図２６】変形例に係る斜視図
【図２７】変形例に係る側断面図
【発明を実施するための形態】
【００３９】
［第１実施形態］
以下、本発明を適用したパチンコ遊技機１０に係る一実施形態を、図１〜図１６に基づいて説明する。図１に示すように、本実施形態のパチンコ遊技機１０の遊技板１１には、略円形の遊技領域Ｒ１が設けられている。遊技板１１は、図２に示すように、全体が略四角形の木板であって、この遊技板１１の前面（遊技者と対向する側の面）は樹脂でコーティングされている。遊技領域Ｒ１は周囲をガイドレール１２によって囲まれている。ガイドレール１２は、第１及び第２の板金レール１２Ａ，１２Ｂとによって構成されている。また、各板金レール１２Ａ，１２Ｂは、帯状の板金を円弧状に湾曲させてなり、その一側縁部を遊技板１１の前面に宛がった状態に取り付けられている。
【００４０】
具体的には、板金レール１２Ａ，１２Ｂの一側縁部の複数位置には図示しない取付釘が溶接され、それら取付釘を遊技板１１に形成された図示しない孔に圧入して板金レール１２Ａ，１２Ｂが遊技板１１から前方に突出した状態に固定されている。そして、第１の板金レール１２Ａは、遊技領域Ｒ１の周縁部のうち上側の略１／４円周分ほどを除いた部分に沿わせて配置されている。また、第２の板金レール１２Ｂの一端部は、第１の板金レール１２Ａの最下端部に対して左斜め下方（図２に向かって左下方。以下同様。）に配置される一方、第２の板金レール１２Ｂの他端部は、第１の板金レール１２Ａの右側端部に対して、遊技球にして１〜２球分上方にオフセットした位置に配置されている。
【００４１】
第１の板金レール１２Ａの右側端部と第２の板金レール１２Ｂの右側端部との間は、緩衝部１２Ｃによって閉塞されている。緩衝部１２Ｃは、遊技板１１に固定された樹脂部材にゴム部材を取り付けてなり、そのゴム部材が第１と第２の板金レール１２Ａ，１２Ｂの隙間から遊技領域Ｒ１内に臨んでいる。また、第１の板金レール１２Ａの左側端部と第２の板金レール１２Ｂの途中部分との間は、遊技球の１〜２球分離され、ここが遊技球の進入口１２Ｋになっている。また、第１の板金レール１２Ａの左端部には、進入口１２Ｋを通って遊技球が遊技領域Ｒ１の外側に出ないようにするための可撓片１２Ｈが備えられている。
【００４２】
図１に示すように、遊技板１１は前側を前面枠１０Ｚにて覆われ、その前面枠１０Ｚには、遊技領域Ｒ１に対応した略円形のガラス窓１０Ｗが設けられている。そして、そのガラス窓１０Ｗを通して遊技領域Ｒ１が前方に臨んでいる。前面枠１０Ｚのうちガラス窓１０Ｗの上方には左右に１対のスピーカ２５Ｓ，２５Ｓが設けられ、ガラス窓１０Ｗより下方には、上皿２７Ａ及び下皿２７Ｂが上下２段にして設けられている。そして、前面枠１０Ｚの右下角部に備えた操作ノブ２８を回動操作すると、上皿２７Ａに収容された遊技球が、第２の板金レール１２Ｂに沿って発射され、遊技領域Ｒ１へと送り込まれる。なお、上皿２７Ａに備えたボタン２９を押すと上皿２７Ａに収容されていた遊技球が下皿２７Ｂへと移動する。また、下皿２７Ｂの下方に容器（所謂、ドル箱）を配置して下皿２７Ｂに備えた遊技ボタン２７Ｃを押すと下皿２７Ｂに収容されていた遊技球が容器へと移動する。さらに、下皿２７Ｂの左側には、操作ジョグ２７Ｊが備えられ、遊技ボタン２７Ｃの右側には、球貸し状態表示モニター２７Ｄ及び球貸し操作ボタン２７Ｅが設けられている。
【００４３】
遊技領域Ｒ１の中央には、表示窓３４Ｗが貫通形成され、その表示窓３４Ｗの奥部には液晶表示画面３４が備えられている。また、表示窓３４Ｗの縁部には、遊技板１１の前面側から表示枠体２３が装着されている。なお、表示枠体２３は、樹脂の成形部品を複数組み合わせてなる。
【００４４】
図３及び図４に示すように、表示枠体２３の側面からは、略全体に亘って取付壁２３Ｆが張り出している。その取付壁２３Ｆには、点在した複数位置にビス孔２３Ｅが貫通形成されている。そして、遊技板１１に形成された表示開口（図示せず）の開口縁に取付壁２３Ｆを重ねた状態にして、ビス孔２３Ｅに挿通したビスを遊技板１１に締め付けて固定されている。なお、取付壁２３Ｆの外縁部には傾斜面が形成され、遊技球が取付壁２３Ｆにスムーズに乗り上がるようになっている。
【００４５】
表示枠体２３のうち上辺部分及び両側辺部分には、取付壁２３Ｆより前方に突出して遊技球が液晶表示画面３４の前側を通過することを規制する進入規制突部２３Ａが備えられている。具体的には、表示枠体２３の上辺部分には左右方向の中央に段差部２３Ｄが設けられ、その段差部２３Ｄより右側が高くなっている。
【００４６】
図２に示すように、表示枠体２３の上辺部分のうち上記段差部２３Ｄより左側部分においては、進入規制突部２３Ａの外側面が、左側方に向かって緩やかに傾斜しかつ、途中から湾曲しながら略鉛直下方に向かっている。一方、表示枠体２３のうち段差部２３Ｄより右側部分においては、進入規制突部２３Ａの外側面が、ガイドレール１２との間に遊技球略１．５個分の間隔を開けて、そのガイドレール１２と同心の略円弧を描いて延び、途中で鉛直下方に屈曲している。なお、進入規制突部２３Ａの外側面のうち上部と右側部との間の屈曲部分は、緩衝部１２Ｃより若干上方に位置している。
【００４７】
表示枠体２３の左辺部分における上下方向の中間部から下端寄り位置に亘る範囲には、ワープ樋３９が設けられている。ワープ樋３９の上端は、表示枠体２３の外側面に開口した入賞口３９Ａになっている。そして、入賞口３９Ａに入球した遊技球は、表示枠体２３を通過して次述するステージ２３Ｓの上面に排出される。
【００４８】
表示枠体２３の下辺部分の内側上面には、遊技球が転動可能なステージ２３Ｓが設けられている。ステージ２３Ｓは、表示枠体２３の奥行き方向で２段になっており、前段部が後段部より低くなっている。また、ステージ２３Ｓの前段部における左右方向の中央には誘導溝２３Ｙが陥没形成され、ここに進入した遊技球は、中央始動入賞口１４の真上で表示枠体２３の外に排出される。
【００４９】
表示枠体２３のうち右側部分の進入規制突部２３Ａの外側面には、上下方向の中間部分から下端寄り位置に亘る範囲に、入賞樋３７が設けられている。入賞樋３７の上端は、進入規制突部２３Ａの外側面に開口したサイド大入賞口３７Ａになっており、そのサイド大入賞口３７Ａは、通常は、サイドメイン可動扉３７Ｔによって閉塞されている。そのサイドメイン可動扉３７Ｔは、サイド大入賞口３７Ａの下端部を中心にして回動可能になっており、所定の条件が成立したときに、側方に倒れるように回動して傾斜姿勢になり、サイド大入賞口３７Ａを開放すると共にサイド大入賞口３７Ａに遊技球を案内する。
【００５０】
入賞樋３７は、サイド大入賞口３７Ａから下方に延びかつ表示窓３４Ｗの奥側に直角曲げされて透視ケース３８に繋がっている。透視ケース３８は、透明な樹脂で構成され、ステージ２３Ｓにおける右側端部に配置されている。詳細には、透視ケース３８は、ステージ２３Ｓの前段部と後段部とを合わせた全体幅と同じ位の幅をなしてステージ２３Ｓより上方に突出している。また、透視ケース３８の内部は、図３に示すように、前後に分けられ、後側に相当する部分に装飾基板等を配置し、前側に相当する部分のみが遊技球１個分通過可能な幅の通過領域になっており、その遊技球の通過領域の下面に継続入賞口３７Ｚと計数入賞口３７Ｓを横並びにして備えている。
【００５１】
継続入賞口３７Ｚは透視ケース３８内の右側、計数入賞口３７Ｓは透視ケース３８内の左側に配置され、さらに、透視ケース３８内の右側部分には、継続入賞口３７Ｚより高い中段位置に中段壁３８Ｎが備えられている。また、中段壁３８Ｎの下面に重ねて規制片３８Ｋが配置され、ソレノイドにより規制片３８Ｋが左右方向に直動されるようになっている。そして、規制片３８Ｋは、サイドメイン可動扉３７Ｔが開いたときには、継続入賞口３７Ｚから離れた位置に退避し、継続入賞口３７Ｚへの遊技球の入球が可能になり、遊技球が１つ継続入賞口３７Ｚに入球すると、規制片３８Ｋが継続入賞口３７Ｚ側に出現し、継続入賞口３７Ｚへの入球を禁止する。一方、計数入賞口３７Ｓは常時開放されている。そして、入賞樋３７に遊技球が入球するたびに、その遊技球が継続入賞口３７Ｚ及び計数入賞口３７Ｓの何れかに入球し、継続入賞口３７Ｚ及び計数入賞口３７Ｓの何れかに遊技球が１つ入球する度に、例えば、１５個の遊技球が上皿２７Ａに払い出される。
【００５２】
遊技領域Ｒ１のうち表示枠体２３の下方における左右方向の中央部には、図２に示すように、中央始動入賞口１４、中央大入賞口１５及びアウト口１６が上から順番に並べて設けられ、左右の両側部には、ガイドレール１２に沿って一般入賞口２０，２１及びサイドランプ２２がそれぞれ設けられている。そして、中央始動入賞口１４、中央大入賞口１５、一般入賞口２０，２１及びアウト口１６に入球した遊技球は、遊技板１１の裏側に取り込まれ、中央始動入賞口１４、中央大入賞口１５及び一般入賞口２０，２１の奥部に備えた図示しない検出スイッチによって、遊技球の入球が検出される。
【００５３】
中央大入賞口１５は、横長矩形に形成されて、常には、中央可動扉１５Ｔにて閉塞されている。そして、所定の条件が成立したときに中央可動扉１５Ｔが下縁部を中心に回動して斜め前側に開き、その中央可動扉１５Ｔを案内にして中央大入賞口１５に多くの遊技球が入球可能となる。また、中央大入賞口１５の内部には、計数入賞口（図示せず）が設けられている。中央可動扉１５Ｔが開いたときには、計数入賞口で遊技球の通過を検出して中央大入賞口１５に入球した遊技球数を計数している。また、計数入賞口に遊技球が１つ入球する度に、例えば、１５個の遊技球が上皿２７Ａに払い出される。
【００５４】
中央始動入賞口１４及び一般入賞口２０，２１は、所謂、ポケット構造をなし、遊技球が丁度１つ入球可能な大きさで上方に開口している。また、中央始動入賞口１４及び一般入賞口２０，２１に遊技球が１つ入球する度に、例えば、４個の賞球が上皿２７Ａに払い出される。
【００５５】
図２に示すように、遊技領域Ｒ１のうち表示枠体２３の右側の側方領域には、上端部に、進入規制突部２３Ａと緩衝部１２Ｃとに挟まれた関所部Ｒ２が設けられている。関所部Ｒ２は、遊技球が１つ通過可能な幅になっている。また、表示枠体２３の右側の側方領域は、関所部Ｒ２から上下方向の中間部までは、ガイドレール１２の側方への膨出形状に従って下方に向かって徐々に横幅が広くなり、上下方向の中間部より下側が下方に向かって徐々に横幅が狭くなっている。そして、表示枠体２３の右側の側方領域のうち上下方向で最も横幅が広くなった領域に臨むように前記したサイド大入賞口３７Ａが配置されている。
【００５６】
表示枠体２３の右側の側方領域のうちサイド大入賞口３７Ａを開閉するサイドメイン可動扉３７Ｔの回動範囲と関所部Ｒ２との間には、始動ゲート１８が設けられている。始動ゲート１８は、内側を遊技球が通過可能な門形構造をなし、内側を通過した遊技球は始動ゲート１８に内蔵されたゲートスイッチ（図示せず）によって検出される。
【００５７】
表示枠体２３の右側の側方領域のうちサイドメイン可動扉３７Ｔの回動領域より下方には、サイド始動入賞口４０Ａが設けられている。図５に示すように、サイド始動入賞口４０Ａは、遊技球１つ分上方にゲート部４０Ｘを備えている。ゲート部４０Ｘは、左右に並んだ１対のゲート支柱４０Ｇ，４０Ｇを有してなり、それら１対のゲート支柱４０Ｇ，４０Ｇは、遊技球が丁度１つ通過可能な間隔に配置されている。なお、サイド始動入賞口４０Ａの前端部が本発明の「前面開放入賞口」に相当する。
【００５８】
サイド始動入賞口４０Ａは、遊技球が１つ入球可能な幅をなし、１対のゲート支柱４０Ｇ，４０Ｇに挟まれた部位の真下に位置して、前方に向かって遊技板１１の前面に開口している。サイド始動入賞口４０Ａの内部には、サイド始動入賞口４０Ａを開閉する回動扉２２０（図６参照）と、サイド始動入賞口４０Ａの下面に沿って前後に進退する進退ガイド部材２３０が設けられている。また、その回動扉２２０は通常はサイド始動入賞口４０Ａを閉塞し、進退ガイド部材２３０は、通常は、サイド始動入賞口４０Ａ内、即ち、遊技板１１の前面より後方の退避位置に配置されている。そして、所定の条件が成立すると、回動扉２２０が開くと共に進退ガイド部材２３０が遊技板１１の前面より前方に突出し、その突出位置でゲート支柱４０Ｇ，４０Ｇの内部を通過した遊技球を受け止めてサイド始動入賞口４０Ａに取り込む。サイド始動入賞口４０Ａに入賞した遊技球は、サイド始動入賞口４０Ａの奥部に備えた検出スイッチ２８０によって検出され、サイド始動入賞口４０Ａに遊技球が１つ入球する度に、例えば、４個の賞球が上皿２７Ａに払い出される。
【００５９】
図２に示すように、表示枠体２３の右側の側方領域のうちサイド始動入賞口４０Ａより下方には、右側サイド誘導部材２４Ｒが設けられている。右側サイド誘導部材２４Ｒは、樹脂の成形品であって、図５に示すように、全体が略三角形になって遊技板１１の前面から突出している。また、右側サイド誘導部材２４Ｒには、上方を向くと共に遊技領域Ｒ１の左右方向の中央に向かって滑らかかつ緩やかな角度で傾斜したサブ誘導面２４Ｖが備えられている。具体的には、サブ誘導面２４Ｖは、水平面に対して例えば５度の傾斜角で遊技領域Ｒ１の左右方向の中央に向かって下るように傾斜している。また、サブ誘導面２４Ｖの上端は、図６に示すように、ガイドレール１２に隣接しており、右側サイド誘導部材２４Ｒの上端部とガイドレール１２との間に遊技球を通過しないようになっている。さらに、サブ誘導面２４Ｖとサイド始動入賞口４０Ａの下端部との間は、遊技球１つ分だけ通過可能な間隔を開けて離れている。また、本実施例においては、サイド始動入賞口４０Ａと右側サイド誘導部材２４とが、図５に示す右サイド入賞ユニット１００として一体的に構成され、右サイド入賞ユニット１００を遊技板１１に取り付けるための取付ベース盤１１０と表示枠体２３の遊技板１１への取付ベース部（即ち、取付壁２３Ｆ）とが緩衝しそうな位近傍に配置されている。そして、サイド始動入賞口４０Ａ及び右側サイド誘導部材２４Ｒの前面は、透明なカバー２４Ｋによって覆われている（図４参照）。右サイド入賞ユニット１００については、後に詳説する。
【００６０】
図２に示すように、遊技領域Ｒ１のうち表示枠体２３の左側の側方領域には、下寄り位置に風車１９が設けられている。風車１９は、遊技板１１から起立した支軸（図示せず）に回転可能に支持され、遊技球が衝突して自在に回転する。その風車１９の下方には、左側サイド誘導部材２４Ｌが設けられている。左側サイド誘導部材２４Ｌも、右側サイド誘導部材２４Ｒと同様に樹脂製であって、遊技領域Ｒ１の中央側に向かって緩やかに傾斜するサブ誘導面２４Ｗを備えている。また、左側サイド誘導部材２４Ｌの下方には、複数（例えば、１０個）のＬＥＤを有した保留数表示部３６と７セグメントＬＥＤで構成された普通図柄表示部３６Ｆとが設けられている。なお、本実施形態では、左側サイド誘導部材２４Ｌのサブ誘導面２４Ｗと右側サイド誘導部材２４Ｒのサブ誘導面２４Ｖとは、左右対称な形状になっている。
【００６１】
遊技領域Ｒ１には、表示枠体２３の外側領域全体に亘って複数の釘１１Ｎが起立している。釘１１Ｎは、所々連なって、遊技球の流下方向を誘導する誘導釘群を構成している。その代表的な誘導釘群として、表示枠体２３の下方領域には、遊技球を中央大入賞口１５に案内するためのメイン誘導釘群１１Ｕ，１１Ｕが中央大入賞口１５の左右に設けられている。それらメイン誘導釘群１１Ｕ，１１Ｕは、例えば左右各１６本ずつの釘１１Ｎによって、左右方向の端部から中央大入賞口１５に向かって傾斜して下るように配列されている。そして、メイン誘導釘群１１Ｕを構成する釘１１Ｎの上面を、メイン誘導面１１Ｖとして、そのメイン誘導面１１Ｖ上を遊技球が転動して中央大入賞口１５に案内される。
【００６２】
また、前記したサイド始動入賞口４０Ａは、右側のメイン誘導釘群１１Ｕの配列方向の延長線Ｌ１上に配置されている。より具体的には、図６に示すように、遊技板１１を前方から見たとき、右側のメイン誘導釘群１１Ｕにおけるメイン誘導面１１Ｖの延長線Ｌ１がサイド始動入賞口４０Ａの開口を横切るように配置されている。
【００６３】
さらに、右側サイド誘導部材２４Ｒのサブ誘導面２４Ｖは、右側のメイン誘導釘群１１Ｕの上端部に向かってメイン誘導釘群１１Ｕの配列方向より緩やかに傾斜している。より具体的には、図６に示すように、遊技板１１を前方から見たとき、右側のメイン誘導釘群１１Ｕのメイン誘導面１１Ｖにおける上端部とサブ誘導面２４Ｖの下端部とが突き合わされ、サブ誘導面２４Ｖがメイン誘導面１１Ｖの上端部における傾斜（水平線に対して例えば傾斜角２７度）より水平に近い緩やかな角度で傾斜してメイン誘導面１１Ｖの上端部に向かって傾斜している。
【００６４】
また、図２に示すように、左側サイド誘導部材２４Ｌのサブ誘導面２４Ｗも、右側サイド誘導部材２４Ｒのサブ誘導面２４Ｖと同様に、左側のメイン誘導釘群１１Ｕの上端部に向かってメイン誘導釘群１１Ｕの配列方向より緩やかに傾斜している。
【００６５】
図６に示すように、サイドメイン可動扉３７Ｔの回動領域の右斜め上方には、サイド誘導釘群１１Ｓが設けられている。サイド誘導釘群１１Ｓは、例えば、６本の釘１１Ｎによって構成され、開いた状態のサイドメイン可動扉３７Ｔへと遊技球を案内するように配列されている。
【００６６】
なお、上記したメイン誘導釘群１１Ｕ、サイド誘導釘群１１Ｓ以外にも、例えば、サイド始動入賞口４０Ａの上方には、サイド始動入賞口４０Ａに向かって遊技球の流下方向を誘導する誘導釘群が設けられている。また、風車１９の上方にも、風車１９に向かって遊技球を誘導する誘導釘群が設けられている。
【００６７】
さて、本実施形態のパチンコ遊技機１０では、上記した中央始動入賞口１４、始動ゲート１８、サイド始動入賞口４０Ａに遊技球が入球すると以下の３種類の抽選が行われ、遊技者を楽しませることができる。
【００６８】
具体的には、１種類目の抽選として、中央始動入賞口１４に遊技球が入球する度に、「第１の大当たり遊技」を実行するか否かの当否判定が行われ、その当否判定の結果が、液晶表示画面３４に表示される。液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、中央始動入賞口１４に遊技球が入球して当否判定が行われたときに、これら３つの特別図柄１３Ａ，１３Ｂ，１３Ｃが、上下方向にスクロール表示され、所定時間後に、例えば、左、右、中の順で各特別図柄１３Ａ，１３Ｂ，１３Ｃが停止表示される。このとき、遊技の当否判定の結果が「大当たり」であれば、例えば全ての特別図柄１３Ａ，１３Ｂ，１３Ｃが同じ図柄、即ち、ぞろ目になる。
【００６９】
また、左右の特別図柄１３Ａ，１３Ｃが同じ図柄で停止表示し、中特別図柄１３Ｂのみが変動表示したリーチ状態となると、液晶表示画面３４には所定のリーチ演出画像（例えばキャラクタ画像）が表示される。なお、前面枠１０Ｚの左下隅に備えた遊技ボタン２７Ｃを押圧すると、液晶表示画面３４で変動表示されている特別図柄１３Ａ，１３Ｂ，１３Ｃ以外の画像（例えば、キャラクタ画像）を、遊技者の任意のタイミングで停止させることができる。
【００７０】
液晶表示画面３４において特別図柄１３Ａ，１３Ｂ，１３Ｃが変動表示又は「大当たり状態」の最中に中央始動入賞口１４に入球した場合、その入賞球は保留球として最大で４個まで記憶され、その保留記憶数（保留球数）が、前記した保留数表示部３６の上側半分のＬＥＤを使用して表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。ここで、大当たりになる確率は例えば１／３９９に設定されている。なお、遊技の当否判定の結果が「大当たり」であれば、中央大入賞口１５の中央可動扉１５Ｔを所定期間に亘って開く。
【００７１】
このように、中央始動入賞口１４に遊技球が入球したときに、単に中央大入賞口１５を開くのではなく、中央大入賞口１５を開くか否かの当否判定を行い、当たりの場合に、中央可動扉１５Ｔを開いて中央大入賞口１５を所定期間に亘って開くので、その当否判定によって遊技者を楽しませることができる。そして、中央始動入賞口１４に遊技球が入球するか否かに興味を持たせることができ、中央始動入賞口１４に遊技球が入球した後は、中央大入賞口１５に遊技球が入球するか否かに興味を持たせることができる。
【００７２】
２種類目の抽選として、始動ゲート１８の内側を遊技球が通過する度に、進退ガイド部材２３０を作動させるか否かの予備当否判定が行われ、その予備当否判定の結果が、普通図柄表示部３６Ｆに表示される。具体的には、始動ゲート１８の内側を遊技球が通過すると、普通図柄表示部３６Ｆに、「０」〜「９」までの数字からなる数字図柄が所定期間に亘って変動表示された後、所定の数字図柄が停止表示される。このとき停止表示された数字が奇数の場合には、「当たり」となり、偶数の場合には「外れ」になる。ここで、当たりになる確率は例えば９９／１００に設定されている。
【００７３】
そして、予備当否判定の結果が当たりになると、所定期間（例えば、０．０８８秒間）に亘って回動扉２２０が開きかつ進退ガイド部材２３０が前進して、サイド始動入賞口４０Ａに遊技球が入球可能になる。
【００７４】
なお、普通図柄表示部３６Ｆにおいて数字図柄が変動表示又は「当たり状態」の最中に始動ゲート１８の内側を遊技球が通過した場合、その入賞球は保留球として最大で４個まで記憶され、その保留記憶数（保留球数）が、前記した保留数表示部３６の下側半分のＬＥＤを使用して表示される。そして、数字図柄が停止表示又は「当たり状態」が終了すると、その保留記憶数が１つ減らされて再び、数字図柄が変動表示してから停止表示されて、予備当否判定結果が表示される。
【００７５】
このように、サイド始動入賞口４０Ａは、通常は閉塞しており、遊技球が始動ゲート１８の内側を通過したことを起因にして遊技球が入球可能となるので、始動ゲート１８の内側を遊技球が通過するか否かに興味を持たせることができ、始動ゲート１８の内側を遊技球が通過した後は、サイド始動入賞口４０Ａに遊技球が入球するか否かに興味を持たせることができる。しかも、始動ゲート１８の内側を遊技球が通過したときに、単にサイド始動入賞口４０Ａを開くのではなく、サイド始動入賞口４０Ａを開くか否かの当否判定を行い、当たりの場合に、回動扉２２０を開き進退ガイド部材２３０を突出させてサイド始動入賞口４０Ａを所定期間に亘って開くので、その当否判定によって遊技者を楽しませることができる。
【００７６】
３種類目の抽選として、サイド始動入賞口４０Ａに遊技球が入球する度に、「第２の大当たり遊技」を実行するか否かの判定が行われ、その判定の結果が、液晶表示画面３４に表示される。液晶表示画面３４における判定の表示方法は、上記した「第１の大当たり遊技」の当否判定結果の表示方法と同様であり、特別図柄１３Ａ，１３Ｂ，１３Ｃに対する装飾用の色彩、模様等や、液晶表示画面３４における特別図柄１３Ａ，１３Ｂ，１３Ｃの背景画等は、「第１の大当たり遊技」の当否判定結果の場合と異なっている。ここで、大当たりになる確率は１／３９９、小当たりになる確率は、３９８／３９９に設定されている。即ち、サイド始動入賞口４０Ａに遊技球が入球すると、大当たりか小当たりが当たる。遊技の判定の結果が「大当たり」であれば、中央大入賞口１５の中央可動扉１５Ｔを所定期間に亘って開く。なお、液晶表示画面３４において特別図柄１３Ａ，１３Ｂ，１３Ｃが変動表示又は「大当たり状態」の最中にサイド始動入賞口４０Ａに入球した場合、その入賞球は保留されない。
【００７７】
ここで、遊技の判定の結果が小当たりになると、サイド大入賞口３７Ａにおけるサイドメイン可動扉３７Ｔが開放され、サイドメイン可動扉３７Ｔの開放から約１秒後に規制片３８Ｋが内部に退避して、継続入賞口３７Ｚが０．３８８秒開放する。ここで、サイドメイン可動扉３７Ｔが開放してから閉じるまでの間を「ラウンド」と称すると、１つのラウンドは、サイドメイン可動扉３７Ｔの開放時間が１．６秒に達した場合に終了する。また、継続入賞口３７Ｚに遊技球が入球した場合、ラウンド終了後に、連続して次のラウンドが実行される。また、「小当たり状態」（サイドメイン可動扉３７Ｔの開放動作）は、最大で、例えば１６ラウンドまで継続される。そして、「小当たり状態」終了後、２５／５０（時短中は４１／５０）の確率で「時短状態」になるように設定されている。なお、サイド大入賞口３７Ａに入球した遊技球が継続入賞口３７Ｚに入球しなかった場合はその１回目のラウンドで終了し、継続入賞口３７Ｚに入球した場合は次ぎのラウンドからサイドメイン可動扉３７Ｔの開閉を行わずに「大当たり状態」となって中央大入賞口１５の中央可動扉１５Ｔを所定期間に亘って開閉して残りのラウンド（例えば１５ラウンド）が実行される。
【００７８】
このように、サイド大入賞口３７Ａのサイドメイン可動扉３７Ｔは、通常は閉塞しており、遊技球がサイド始動入賞口４０Ａに入球したことを起因にして遊技球が入球可能となるので、サイド始動入賞口４０Ａに遊技球が入球するか否かに興味を持たせることができる。しかも、サイド始動入賞口４０Ａに遊技球が入球した場合には、サイド大入賞口３７Ａのサイドメイン可動扉３７Ｔを開くか中央大入賞口１５の中央可動扉１５Ｔを開くかの判定を行い、小当たりの場合にサイドメイン可動扉３７Ｔを所定期間に亘って開き、大当たりの場合に中央可動扉１５Ｔを所定期間に亘って開くので、その判定によって遊技者を楽しませることができる。即ち、サイド始動入賞口４０Ａに遊技球が入球した後は、中央大入賞口１５又はサイド大入賞口３７Ａに遊技球が入球するか否かに興味を持たせることができる。
【００７９】
さらには、サイド大入賞口３７Ａに遊技球が入球したことを起因に、中央大入賞口１５の中央可動扉１５Ｔを所定期間に亘って開くので、サイド大入賞口３７Ａに遊技球が入球するか否かに興味を持たせることができ、サイド大入賞口３７Ａに遊技球が入球した後は、入球した遊技球が継続入賞口３７Ｚに入球するか否かに興味を持たせることができる。
【００８０】
上記したように、中央大入賞口１５は、中央可動扉１５Ｔによって開閉されるように構成され、中央大入賞口１５の上側に設けた中央始動入賞口１４に遊技球が入球してその当否判定が当たりとなった場合と、サイド始動入賞口４０Ａに遊技球が入球してその判定が大当たり（第２の当たり）となった場合に、中央大入賞口１５の中央可動扉１５Ｔが所定期間に亘って開放される。ここで、中央可動扉１５Ｔが開放してから閉じるまでの間を「ラウンド」と称すると、例えば１つのラウンドは、中央可動扉１５Ｔの開放時間が所定時間（３０秒）に達したか、又は、中央大入賞口１５に遊技球が所定個数（１０個）入球したかの何れかの条件が先に満たされた場合に終了する。また、「大当たり状態」（中央可動扉１５Ｔの開放動作）は、最大で、例えば１５ラウンドまで継続される。そして、「大当たり状態」終了後、２５／５０（時短中は４１／５０）の確率で「時短状態」になるように設定されている。
【００８１】
「時短状態」になると、回動扉２２０の開放秒数及び進退ガイド部材２３０の前進秒数が、例えば通常状態の０．０８８秒から１．７秒へと長くなり、それらの回数も１回から３回と増える遊技が行われる。「時短状態」である有利な状態が持続されることにより、「時短状態」中は、サイド始動入賞口４０Ａへ入球し易くなることから通常遊技状態よりも賞球を得やすくなり、持ち球の減りを抑制する状態になる。そして、持ち球を減らすことを抑制しつつ次の大当たりまで遊技を行うことができる。
【００８２】
さて次に、右サイド入賞ユニット１００の構成を図５〜図１６を参照しつつ説明する。右サイド入賞ユニット１００は、遊技板１１の前面に敷設された取付ベース盤１１０、取付ベース盤１１０の前面側に設けられた右側サイド誘導部材２４Ｒ及び一般入賞口２０、取付ベース盤１１０の後面側に取り付けられた背面カバー１２０及び本発明が適用された入賞機構部２００とから構成されている。
【００８３】
取付ベース盤１１０のうち下側半分は前後に貫通しており、その貫通口の縁部からは、図７に示すように、後方に向かって囲壁１１１が起立している。囲壁１１１の内側スペースは補強壁１１２によって上下２つのスペースに区画されており、下側のスペースには、取付ベース盤１１０の後面側から透明部材１３０が挿入嵌合されている。透明部材１３０は、前面が閉塞しかつ後面が開放した袋構造をなしており、サイドランプ２２のランプカバーとなっている。その透明部材１３０を囲壁１１１の内側に嵌合しかつ透明部材１３０の後端縁の一部を囲壁１１１の後端面との間に挟んだ状態で、背面カバー１２０が取付ベース盤１１０の後面から起立した複数の支柱１１３にビス止めされている。背面カバー１２０は、囲壁１１１の形状に合わせた樹脂プレートで構成されており、この背面カバー１２０によって囲壁１１１の後面開口の全体が閉塞されている。
【００８４】
図７に示すように、右側サイド誘導部材２４Ｒは、後方に開放した袋構造をなしており、取付ベース盤１１０の前面にビス止めされている。右側サイド誘導部材２４Ｒの内側には、前面にＬＥＤ（図示せず）が実装された発光基板１４０が収容されている。右側サイド誘導部材２４Ｒにより、取付ベース盤１１０に形成された貫通孔のうち、補強壁１１２より上側部分が前面から閉塞されている。なお、発光基板１４０にコネクタ接続されたリード線（図示せず）は、背面カバー１２０を貫通した配線引出口１２１から、遊技機後方に引き出されている。
【００８５】
図５及び図６に示すように、取付ベース盤１１０のうち右側サイド誘導部材２４Ｒの上方位置には、サイド始動入賞口４０Ａが貫通形成されており、取付ベース盤１１０の後面のうちサイド始動入賞口４０Ａの真後ろの位置には、前記した回動扉２２０及び進退ガイド部材２３０を有した入賞機構部２００が取り付けられている。
【００８６】
入賞機構部２００は、樹脂ハウジング２１０（図５参照）の内部に、回動扉２２０と進退ガイド部材２３０の他、シーソー部材２５０及び検出スイッチ２８０を収容しており、樹脂ハウジング２１０の外側に直動駆動源としてのソレノイド２７０を備えている。
【００８７】
樹脂ハウジング２１０は、サイド始動入賞口４０Ａの下辺より上側のスペースに回動扉２２０、進退ガイド部材２３０及びシーソー部材２５０を収容する一方、サイド始動入賞口４０Ａの下辺より下側のスペースに検出スイッチ２８０を収容している。また、樹脂ハウジング２１０は、前後方向で１対のハウジング構成体２１１，２１５に分割可能となっている。即ち、図７に示すように、樹脂ハウジング２１０は、取付ベース盤１１０に一体形成されて後方に開放した第１ハウジング構成体２１１と、取付ベース盤１１０とは別部品で構成されて前方に開放した第２ハウジング構成体２１５とから構成され、それらの開口端同士を突き合わせた状態でビス止めされている。
【００８８】
第１ハウジング構成体２１１は、サイド始動入賞口４０Ａの周囲を囲むように取付ベース盤１１０の後面から起立している。また、第１ハウジング構成体２１１の両側部には、取付ベース盤１１０の後面から起立した１対のビス止め支柱２１２，２１２が形成されている。また、図示しないが、第１ハウジング構成体２１１の内側スペースは、サイド始動入賞口４０Ａの下辺部から後方に延びた中間壁部２１３によって上下に区画されており、その中間壁部２１３より下側に、扁平矩形状をなした検出スイッチ２８０の前側部分が収容されている。なお、中間壁部２１３の上面には、後方に向かって下るように傾斜した傾斜突条（図示せず）が形成されており、サイド始動入賞口４０Ａに入球した遊技球を後方に転がすようになっている。
【００８９】
第２ハウジング構成体２１５は、第１ハウジング構成体２１１における中間壁部２１３より上側部分との間で進退ガイド部材２３０をスライド可能に収容した上側収容部２１５Ａと、その上側収容部２１５Ａの下面に一体形成されて、検出スイッチ２８０の後側部分を収容した下側収容部２１５Ｂとを備えている。上側収容部２１５Ａの底壁と下側収容部２１５Ｂの底壁とには、前方に開放したＵ字形又は角Ｕ字形の凹部が形成されており、それら凹部が検出スイッチ２８０の後側部分を貫通した遊技球通過孔２８１（図８、図９参照）と連通している。
【００９０】
第２ハウジング構成体２１５の上面のうち前後方向の中間位置からは前後方向に貫通した門形突部２１６が起立しており、門形突部２１６の両脚部から側方に固定片２１７，２１７が張り出している。これら固定片２１７，２１７を１対のビス止め支柱２１２，２１２の後端面に重ねてビス止めすることで、第１ハウジング構成体２１１と第２ハウジング構成体２１５とが合体固定されている。
【００９１】
第２ハウジング構成体２１５のうち、門形突部２１６より後側の上面にはソレノイド２７０が載置されている。ソレノイド２７０は金属フレーム２７０Ｆの内側に励磁用コイル２７０Ｃを備えてなり、金属フレーム２７０Ｆの外側にビス止めされたブラケット２７２を介して門形突部２１６の後面に固定されている（図９参照）。
【００９２】
即ち、ブラケット２７２の前端部には側方に張り出した１対の固定片２７３，２７３が設けられている。これら固定片２７３，２７３は、門形突部２１６に形成された固定片２１７，２１７の後面に重ねられ、第１ハウジング構成体２１１と第２ハウジング構成体２１５とを合体固定したビスが、これら固定片２７３，２７３を貫通している。つまり、第１ハウジング構成体２１１と第２ハウジング構成体２１５とソレノイド２７０とは、第２ハウジング構成体２１５の門形突部２１６を、第１ハウジング構成体２１１の後端部とブラケット２７２の前端部とで前後から挟んだ状態で共通のビスによって固定されている。ソレノイド２７０における励磁用コイル２７０Ｃの中心には、所定のストロークで前後方向に直動するプランジャ２７４（図７参照。本発明の「直動部材」に相当する）が挿入されており、そのプランジャ２７４のうち励磁用コイル２７０Ｃから突出した先端部には、側方に張り出したフランジ部２７４Ｆ（図８参照）が形成されている。
【００９３】
プランジャ２７４には、プランジャ２７４と次述するシーソー部材２５０の一端部とを連結するための連結補助部材２７５が取り付けられている。連結補助部材２７５は、プランジャ２７４の外側に遊嵌されたリング部２７５Ａからフランジ部２７４Ｆに向かって１対の円弧壁２７５Ｂ，２７５Ｂが突出した構造をなしている（図１５参照）。そして、プランジャ２７４の外側に巻回された金属製の圧縮コイルバネ２７６が、連結補助部材２７５におけるリング部２７５Ａとソレノイド２７０の前端面との間に突っ張り状態にして備えられ、連結補助部材２７５の円弧壁２７５Ｂ，２７５Ｂが圧縮コイルバネ２７６によってプランジャ２７４のフランジ部２７４Ｆに押し付けられている。リング部２７５Ａと１対の円弧壁２７５Ｂ，２７５Ｂ及びプランジャ２７４のフランジ部２７４Ｆとで囲まれた部分は、矩形の陥没凹所２７７，２７７（図１５には一方の陥没凹所２７７のみが示されている）となっており、ここにシーソー部材２５０の上端部が連結されている。
【００９４】
なお、ソレノイド２７０は、励磁用コイル２７０Ｃの励磁により圧縮コイルバネ２７６に抗してプランジャ２７４を吸引する（図１５（Ｂ）の状態）。そして、励磁が停止されると圧縮コイルバネ２７６の付勢力によってプランジャ２７４がソレノイド２７０から突出する（図１５（Ａ）の状態）。
【００９５】
シーソー部材２５０は、遊技板１１と平行かつ水平な回動軸を中心に回動可能となっている。図７及び図８に示すように、シーソー部材２５０は、水平方向で対向した１対の連結アーム２５１，２５１の上端部間を連絡壁２５２で連結した門形構造をなしている。１対の連結アーム２５１，２５１のうち上端寄り部分の外側面からは、相反する方向に１対の回動軸部２５３，２５３が突出している。回動軸部２５３，２５３は円柱状をなし、樹脂ハウジング２１０に回動可能に支持されている。
【００９６】
詳細には、図９に示すように、第２ハウジング構成体２１５における門形突部２１６の両脚部には前方に開放したＵ字溝２１８，２１８が形成され、そのＵ字溝２１８，２１８に回動軸部２５３，２５３が受容されている。その状態で、第１ハウジング構成体２１１の後端面が回動軸部２５３，２５３の前方に配置されて、Ｕ字溝２１８，２１８からの回動軸部２５３，２５３の離脱を禁止している。
【００９７】
シーソー部材２５０のうち、回動軸部２５３，２５３より上端側位置には、１対の上端連結凸部２５４，２５４が設けられている。１対の上端連結凸部２５４，２５４は、１対の連結アーム２５１，２５１の向かい合った内側面から互いに接近するように突出しており、円柱状をなしている。これら上端連結凸部２５４，２５４の先端部が、プランジャ２７４に備えられた陥没凹所２７７，２７７に凹凸係合している。これにより、プランジャ２７４の前後方向への直動に連動してシーソー部材２５０が回動軸部２５３，２５３を中心にして回動可能となっている（図１５参照）。
【００９８】
図１２に示すように、シーソー部材２５０の連絡壁２５２は、上端連結凸部２５４，２５４及び回動軸部２５３，２５３より前側に設けられている。連絡壁２５２のうち上端連結凸部２５４，２５４側の後面２５４Ｍは、プランジャ２７４の先端面と対峙しており、連絡壁２５２の下辺部中央には、シーソー部材２５０の回動時にプランジャ２７４の先端部（フランジ部２７４Ｆ）との干渉を避けるために矩形状の切欠部２５６（図９〜図１１参照）が形成されている。また、連絡壁２５２の後面２５４Ｍの下辺には、プランジャ２７４側（後方）に向かって僅かに突出した三角突条２５７が設けられている。
【００９９】
シーソー部材２５０は、回動軸部２５３，２５３より前方に配された連絡壁２５２が錘となって、シーソー部材２５０の上端部が遊技機前方に向かって回動する方向（図１２における反時計回り方向）に回動付勢されている。
【０１００】
シーソー部材２５０における１対の連結アーム２５１，２５１のうち、回動軸部２５３，２５３を挟んで上端連結凸部２５４，２５４とは反対側の下端部には、１対の下端連結凸部２５５，２５５が設けられている（図８参照）。１対の下端連結凸部２５５，２５５は、１対の連結アーム２５１，２５１の外側面から側方に突出して回動軸部２５３，２５３と平行になっている。
【０１０１】
下端連結凸部２５５，２５５には、ストッパ凹部２５８，２５８が形成されている。ストッパ凹部２５８，２５８は、例えば、下端連結凸部２５５を構成する円柱体の外周面に陥没形成されており、円柱体の軸方向に沿って延びた断面Ｌ字形の溝形構造になっている。ストッパ凹部２５８，２５８については、後に詳説する。
【０１０２】
そして、これら下端連結凸部２５５，２５５によって、シーソー部材２５０と後述する進退ガイド部材２３０との間が連結している。
【０１０３】
回動扉２２０は、シーソー部材２５０と同様に、遊技板１１と平行かつ水平な回動軸を中心に回動可能となっている。回動扉２２０は、水平方向で対向した１対の側部壁２２１，２２１の間を、サイド始動入賞口４０Ａを開閉するシャッター壁２２２で連絡してなる。１対の側部壁２２１，２２１の外側面からは、相反する方向に１対の回動軸部２２３，２２３が突出している。回動軸部２２３，２２３は、シャッター壁２２２から離れた位置に偏在しており、樹脂ハウジング２１０の両側壁に回動可能に軸支されている。詳細には、図７に示すように、第１ハウジング構成体２１１の両側壁には後方に開放したＵ字溝２１４，２１４が形成され、そのＵ字溝２１４，２１４に回動軸部２２３，２２３が受容されている。その状態で、Ｕ字溝２１４，２１４の開口が第２ハウジング構成体２１５の前端面にて閉じられて、Ｕ字溝２１４，２１４からの回動軸部２２３，２２３の離脱を禁止している。
【０１０４】
シャッター壁２２２は、回動軸部２２３，２２３と直交する断面が略「く」の字に湾曲している。シャッター壁２２２のうち、前方に突出した前端部は、遊技球の噛み込みを防止するために断面Ｖ字形になっている。また、１対の側部壁２２１，２２１のうち、回動軸部２２３，２２３を挟んでシャッター壁２２２とは反対側にはそれぞれカム突部２２４，２２４が設けられている。このカム突部２２４，２２４が次述する進退ガイド部材２３０と当接可能となっており、進退ガイド部材２３０の前後方向の進退動作に連動して、回動扉２２０がサイド始動入賞口４０Ａを開閉するようになっている。
【０１０５】
進退ガイド部材２３０は、樹脂ハウジング２１０のうち、前述したソレノイド２７０，シーソー部材２５０，回動扉２２０の真下位置に収容されている。
【０１０６】
図１３及び図１４に示すように、進退ガイド部材２３０は、前後方向に対して横幅方向が短くかつ上下方向に薄くなった扁平構造をなしており、上方から見たときに前方に開放した略「コ」の字状のスライドベース２３１と、スライドベース２３１の両側辺２３２，２３２の前端部を連絡しかつ前方に延設されたガイドプレート２４０とを備えてなる。スライドベース２３１の両側辺２３２，２３２の間には前後方向に長い開口部２３８が形成されている。開口部２３８は、進退ガイド部材２３０が突出位置と退避位置との間のどの位置に配置されている状態であっても、検出スイッチ２８０の遊技球通過孔２８１と上下方向で連通して、遊技球の通過を許容している（図９参照）。
【０１０７】
ガイドプレート２４０の横幅は、サイド始動入賞口４０Ａにおける下辺の横幅より若干狭くなっており、スライドベース２３１の横幅はサイド始動入賞口４０Ａの下辺の横幅よりも幅広となっている。これにより、進退ガイド部材２３０のうち、ガイドプレート２４０のみが遊技板１１の前方に突出可能となっている。そして、ガイドプレート２４０よりも側方に張り出したスライドベース２３１の両側辺２３２，２３２が、樹脂ハウジング２１０の両側壁において前後方向に延びたスライド受容部２１９（図９，図１０参照）に挿入されてスライド可能になっている。
【０１０８】
ガイドプレート２４０の上面は、横幅方向の両側部が側方に向かって下るように傾斜しており、両側部の間が中央部に向かうに従って下るように極緩やかに傾斜している（図１３（Ｂ）参照）。また、ガイドプレート２４０の上面は、前端部から後方に向かって比較的緩やかに下っており、途中で比較的急峻に下っている（図１４（Ｂ）参照）。更に、ガイドプレート２４０の上面における横幅方向の中央部には、前後方向に突条２４１（本発明の「突起部」に相当する）が延びている。この突条２４１を設けたことにより、ガイドプレート２４０に受け止められた遊技球が、単に上面の傾斜によってサイド始動入賞口４０Ａに入賞するだけでは無く、入賞せずにガイドプレート２４０から落下することもあり、進退ガイド部材２３０で受け止められた遊技球の行方に興味を抱かせることができる。
【０１０９】
さらには、なるべくサイド始動入賞口４０Ａに入賞させたくない通常遊技状態では、突出時間も短い事から、突条２４１に遊技球が衝突すると、突条２４１の左右方向に遊技球が転動方向を変え、その隙に、ガイドプレート２４０が後退し、極力遊技球の入賞を制限する事が可能な構成となっている。なお、ガイドプレート２４０の後端縁（開口部２３８の前端縁）は、前方に向かって凸となった円弧状になっている。
【０１１０】
進退ガイド部材２３０には、ガイドプレート２４０の幅方向の両側部とスライドベース２３１の両側辺２３２，２３２との間に亘って側壁部２３３，２３３が形成されている。側壁部２３３，２３３は、後方に向かうに従って段階的に高くなっている。側壁部２３３の上端面は、前側から順に、緩やかな第１傾斜面２３３Ａ、第１水平面２３３Ｂ、急峻な第２傾斜面２３３Ｃ、第２水平面２３３Ｄの順となっており、第２水平面２３３Ｄは、スライドベース２３１の上端面と面一となっている。また、第２傾斜面２３３Ｃには回動扉２２０のカム突部２２４が当接可能となっている。
【０１１１】
図１４（Ａ）に示すように、スライドベース２３１の両側辺２３２，２３２のうち、互いに対向した内側面には、それぞれ連結凹部２３４，２３４が陥没形成されている。各連結凹部２３４，２３４は、比較的浅い第１凹部２３５の内側に、比較的深い第２凹部２３６を備えた複合凹部となっている。
【０１１２】
図１４（Ｂ）に示すように、第１凹部２３５のうち、前後方向で対向した１対の対向面２３５Ａ，２３５Ａは、進退ガイド部材２３０の上面から下面に向かうに従って互いに近づくように傾斜している。これに対し、第２凹部２３６は、第１凹部２３５の中央部分をさらに陥没させてなり、前後方向で対向した１対の摺接面２３６Ａ，２３６Ｂのうち、前側に位置する前側摺接面２３６Ａが、進退ガイド部材２３０の直動方向と直交した垂直面となっている。また、前側摺接面２３６Ａと向かい合った後側摺接面２３６Ｂは、進退ガイド部材２３０の直動方向と直交した垂直面の上下方向の途中に、下方に向かうに従って前側摺接面２３６Ａ側に迫り出した段差部２３７（本発明の「シートー用ストッパ突部」に相当する）を有しており、段差部２３７の上面が前側摺接面２３６Ａに向かうに従って下るように傾斜したストッパ当接面２３７Ｓとなっている。この段差部２３７については、前記したシーソー部材２５０のストッパ凹部２５８，２５８と併せて、後に詳説する。
【０１１３】
第２凹部２３６，２３６には、それぞれシーソー部材２５０の下端部に備えた下端連結凸部２５５，２５５が挿入されており（図１５参照）、第１凹部２３５，２３５は、シーソー部材２５０における連結アーム２５１，２５１の下端寄り部分を受容している。ここで、第１凹部２３５における１対の対向面２３５Ａ，２３５Ａの傾斜は、進退ガイド部材２３０がサイド始動入賞口４０Ａから前方に突出した突出位置と、サイド始動入賞口４０Ａの奥に退避した退避位置との間で直動する際の連結アーム２５１，２５１の揺動範囲内で、連結アーム２５１，２５１と干渉しないように構成されている。
【０１１４】
以上の構成を備えた入賞機構部２００は以下のように動作する。即ち、ソレノイド２７０は、通常は励磁されていないので、プランジャ２７４が前方に突出している（図１５（Ａ）の状態）。この状態からソレノイド２７０が励磁されてプランジャ２７４が後方に吸引されると、シーソー部材２５０が回動軸部２５３，２５３を中心に回動する。即ち、シーソー部材２５０の下端部が、回動軸部２５３，２５３より後方位置から遊技機前方に向かって回動し、下端連結凸部２５５，２５５が第２凹部２３６，２３６の前側摺接面２３６Ａ，２３６Ａと摺接して前方に押す。これにより、進退ガイド部材２３０が遊技機前方に押し出されて、ガイドプレート２４０がサイド始動入賞口４０Ａから遊技板１１の前面側に突出する（図１５（Ｂ）の状態）。進退ガイド部材２３０が前方に移動する過程で、回動扉２２０のカム突部２２４，２２４が側壁部２３３，２３３の第２傾斜面２３３Ｃ，２３３Ｃと摺接し、回動扉２２０が回動軸部２２３，２２３を中心にして遊技機の後方側に回動する。これにより、サイド始動入賞口４０Ａが閉鎖状態から開放状態になる。また、進退ガイド部材２３０が突出位置に位置している間は、カム突部２２４，２２４が進退ガイド部材２３０の側壁部２３３，２３３と当接したままになるので、サイド始動入賞口４０Ａは開放状態に維持される。
【０１１５】
そして、遊技球がガイドプレート２４０の上面に落下して後方に移動すると、サイド始動入賞口４０Ａに入球し、サイド始動入賞口４０Ａの内側でガイドプレート２４０から落下して、進退ガイド部材２３０の下方に備えた検出スイッチ２８０によって検出される。
【０１１６】
ここで、回動扉２２０は、カム突部２２４，２２４が第２傾斜面２３３Ｃ，２３３Ｃに当接するまでは回動せず、サイド始動入賞口４０Ａを閉鎖状態に保持する。具体的には、進退ガイド部材２３０のガイドプレート２４０がサイド始動入賞口４０Ａから約半分程度突出したときに、回動扉２２０は遅れて回動動作を開始し、ガイドプレート２４０が約半分程度突出してから完全に突出するまでの比較的短期間の間に、サイド始動入賞口４０Ａが全閉状態から全開状態になる。
【０１１７】
進退ガイド部材２３０がサイド始動入賞口４０Ａから前方に突出した状態（図１５（Ｂ）の状態）で、ソレノイド２７０の励磁が停止されると、圧縮コイルバネ２７６によってプランジャ２７４が前方に突出する。すると、シーソー部材２５０の下端部が回動軸部２５３，２５３を中心にして遊技機後方に回動し、シーソー部材２５０の下端部が、回動軸部２５３，２５３より前方位置から後方位置まで移動する。このとき、下端連結凸部２５５，２５５が第２凹部２３６，２３６の後側摺接面２３６Ｂ，２３６Ｂと摺接して後方に押す。これにより、進退ガイド部材２３０が、遊技機後方に引き込まれて、ガイドプレート２４０がサイド始動入賞口４０Ａの奥側に退避する。また、進退ガイド部材２３０が退避位置に向かって移動を開始した直後から、回動扉２２０が自重によって回動してカム突部２２４が第２傾斜面２３３Ｃを下るように摺接し、退避位置に至る前に第２傾斜面２３３Ｃから離間する。
【０１１８】
これにより、進退ガイド部材２３０が退避動作を開始した直後から回動扉２２０は閉鎖動作を開始し、ガイドプレート２４０が約半分程度退避した時点で、回動扉２２０はサイド始動入賞口４０Ａを完全に閉鎖する。即ち、サイド始動入賞口４０Ａは、ガイドプレート２４０が完全にサイド始動入賞口４０Ａの奥に退避するより前に、いち早く閉鎖状態になって遊技球の入球を禁止する。このような構成にすることで、ガイドプレート２４０の突出量がある程度大きくなるまでは、回動扉２２０が開放状態とならず、特に、入賞をなるべく制限したい通常遊技状態では、ガイドプレート２４０の突出時間が短時間であり、これに加えて回動扉２２０の開放時間が短時間になることから、より遊技球の入賞を制限できる構成になっている。
【０１１９】
本実施形態のパチンコ遊技機１０の構成に関する説明は以上である。次に、本実施形態のパチンコ遊技機１０の作用効果について説明する。操作ノブ２８を操作して複数の遊技球を、順次、遊技領域Ｒ１に打ち込むと、それら遊技球の一部は遊技領域Ｒ１のうち表示枠体２３の上方領域から左側の側方領域を流下する。そして、それら遊技球は、風車１９や左側サイド誘導部材２４Ｌのサブ誘導面２４Ｗに案内されて下方領域へと流下し、別の遊技球の一部は、表示枠体２３の左側の側方領域からワープ樋３９を通過してステージ２３Ｓを転動し、表示枠体２３の下方領域へと流下する。この間、一部の遊技球は、中央始動入賞口１４や一般入賞口２０，２１に入賞して賞球が上皿２７Ａに払い出される。また、中央始動入賞口１４に入賞すると、中央可動扉１５Ｔを開くか否かの抽選（当否判定）が行われ、その抽選結果が当たりであると、中央可動扉１５Ｔが開き、表示枠体２３の下方領域を流下する遊技球の多くが中央大入賞口１５に入賞可能となる。
【０１２０】
また、遊技領域Ｒ１に打ち込まれた遊技球の一部は、表示枠体２３の上部右側部分とガイドレール１２との間の狭い領域を１球ずつ通過して、表示枠体２３の側方領域の上端部に到る。そして、関所部Ｒ２を通過して表示枠体２３の側方領域を遊技球が１球ずつ流下する。そして、表示枠体２３の右側の側方領域の上端部では、まず、遊技球が、始動ゲート１８の内側を通過するか否かに分かれる。ここで、始動ゲート１８の内側を遊技球が通過すると、サイド始動入賞口４０Ａに入賞可能とするか否かの抽選が行われ、その抽選結果が当たりであれば、所定期間（例えば、通常遊技状態では０．０８８秒間を１回、時短遊技状態では１．７秒を３回）に亘ってサイド始動入賞口４０Ａへの入賞が可能になる。そして、サイド始動入賞口４０Ａに入賞すると、サイドメイン可動扉３７Ｔを開くか、中央可動扉１５Ｔを開くか否かの抽選を行う。そして、サイドメイン可動扉３７Ｔが開き継続入賞口３７Ｚに入球してから中央可動扉１５Ｔが開いたり、中央可動扉１５Ｔが抽選により直接開くと、中央大入賞口１５への大量に遊技球の入球が可能になり、多くの賞球を得ることができる。また、サイド始動入賞口４０Ａへの入賞に基づいて大当たり状態終了後に通常遊技状態にするか時短遊技状態にするかが決定され、継続入賞口３７Ｚを起因にして大当たり状態終了後に決定された遊技状態（通常遊技状態又は時短遊技状態）に移行する構成の場合、通常遊技状態が決定された際に継続入賞口３７Ｚに入賞しないように入賞タイミングを計っても、本実施例では、遊技板右側の発射から入賞までの距離が長い位置にサイドメイン可動扉３７Ｔを設けていることによって、継続入賞口３７Ｚへの入賞タイミングが計りにくい構成になっている。
【０１２１】
そして、サイド大入賞口３７Ａが開放している場合、サイド誘導釘群１１Ｓがサイド大入賞口３７Ａへ遊技球を入球させるための案内になる。また、サイド大入賞口３７Ａ、サイド始動入賞口４０Ａに入球しなかったほとんどの遊技球が、右側サイド誘導部材２４Ｒのサブ誘導面２４Ｖで受け止められ、そのサブ誘導面２４Ｖからメイン誘導釘群１１Ｕのメイン誘導面１１Ｖへと案内され、さらに、そのメイン誘導面１１Ｖによって中央大入賞口１５に案内される。このとき、中央可動扉１５Ｔが開いていれば、右側サイド誘導部材２４Ｒのサブ誘導面２４Ｖとメイン誘導釘群１１Ｕのメイン誘導面１１Ｖに案内された遊技球は、高い確率で中央大入賞口１５への入賞が可能になる。
【０１２２】
ところで、この遊技機では、サイド始動入賞口４０Ａの奥部に退避している進退ガイド部材２３０を、例えば、遊技機の隙間から挿入した針金等で遊技板１１の前面に引っ張り出しておき、その状態で遊技を行ってサイド始動入賞口４０Ａに遊技球を入球させて、賞球を取得するという不正行為が行われる可能性がある。
【０１２３】
このような不正行為を防止するために、シーソー部材２５０の下端連結凸部２５５，２５５にはストッパ凹部２５８，２５８が形成され、進退ガイド部材２３０における第２凹部２３６，２３６の後側摺接面２３６Ｂには段差部２３７，２３７が形成されている。
【０１２４】
具体的には、図１５に示すように、段差部２３７，２３７は、第２凹部２３６，２３６における後側摺接面２３６Ｂのうち、ソレノイド２７０の励磁が停止して、シーソー部材２５０の下端部が遊技機後方に向かって回動したときに、シーソー部材２５０の下端連結凸部２５５，２５５と当接する部分に形成されている。そして、上述したように、段差部２３７には、前側摺接面２３６Ａに向かって下るように傾斜したストッパ当接面２３７Ｓが備えられている。
【０１２５】
一方、図１５に示すように、ストッパ凹部２５８，２５８は、下端連結凸部２５５，２５５のうち、ソレノイド２７０の励磁が停止して、シーソー部材２５０の下端部が遊技機後方に向かって回動したときに、第２凹部２３６，２３６における後側摺接面２３６Ｂと当接する部分に形成されている。
【０１２６】
図１２に示すように、ストッパ凹部２５８は、互いに交差した２つの平面Ｍ１，Ｍ２で構成されている。即ち、回動軸部２５３，２５３と反対方向を向いた第１平面Ｍ１と、遊技機後方を向いた第２平面Ｍ２である。ソレノイド２７０の励磁が停止されて、シーソー部材２５０の下端部が遊技機後方に向かって回動すると、図１６（Ａ）〜同図（Ｄ）への変化に示すように、最初に、第１平面Ｍ１と下端連結凸部２５５の外周面とが交差した第１エッジ部Ｅ１が、段差部２３７のストッパ当接面２３７Ｓに当接する（図１６（Ａ）参照）。そして、シーソー部材２５０の回動に伴って下端連結凸部２５５が後側摺接面２３６Ｂに摺接し、下端連結凸部２５５がシーソー部材２５０の回動軸部２５３，２５３よりも後方に位置しかつ、第２平面Ｍ２と下端連結凸部２５５の外周面とが交差した第２エッジ部Ｅ２が、後側摺接面２３６Ｂのうち段差部２３７より下側部分に当接したときに、ストッパ凹部２５８の第１平面Ｍ１が、段差部２３７のストッパ当接面２３７Ｓと面当接する（図１６（Ｃ）参照）。
【０１２７】
進退ガイド部材２３０が、不正に前方に引っ張られた場合、図１６（Ｄ）から図１６（Ｃ）への変化に示すように、シーソー部材２５０の下端連結凸部２５５が後側摺接面２３６Ｂに押されかつ摺接し、進退ガイド部材２３０は、ストッパ当接面２３７Ｓにストッパ凹部２５８の第１平面Ｍ１が当接する位置までは移動する。ところが、この位置からさらに、進退ガイド部材２３０を前方に引っ張っても、下端連結凸部２５５と後側摺接面２３６Ｂとの摺接は禁止され、ストッパ凹部２５８の第１エッジ部Ｅ１は段差部２３７を乗り越えることができない。このとき、シーソー部材２５０がその回動軸部２５３，２５３と進退ガイド部材２３０（段差部２３７）との間で突っ張り状態になる。これにより、進退ガイド部材２３０を手前に引っ張ってガイドプレート２４０をサイド始動入賞口４０Ａの前方に突出させることが不可能となり、不正な賞球の取得を防止することができる。
【０１２８】
ここで、進退ガイド部材２３０が、前方に引っ張られた場合には、その引っ張る力が、段差部２３７のストッパ当接面２３７Ｓに直交する上向きの力Ｆ１となってシーソー部材２５０が斜め上方に若干持ち上がり、シーソー部材２５０の連絡壁２５２に形成された三角突条２５７が、プランジャ２７４のフランジ部２７４Ｆと係合する。これにより、シーソー部材２５０の回動がより強固に禁止されるので、進退ガイド部材２３０を手前に引っ張ってガイドプレート２４０をサイド始動入賞口４０Ａの前方に突出させるという不正を、より確実に防止することができる。
【０１２９】
このように、本実施形態のパチンコ遊技機１０では、進退ガイド部材２３０がサイド始動入賞口４０Ａの前方に引っ張られた場合に、進退ガイド部材２３０がサイド始動入賞口４０Ａの前方に突出することが防止されるので、進退ガイド部材２３０をサイド始動入賞口４０Ａから引っ張り出しておき、その状態で進退ガイド部材２３０により遊技球を入球させるという不正を防止することができる。
【０１３０】
また、進退ガイド部材２３０をサイド始動入賞口４０Ａの前方に突出させないとサイド始動入賞口４０Ａが開放しないので、サイド始動入賞口４０Ａに対する遊技球の不正な入球を確実に防止することができる。さらに、進退ガイド部材２３０を進退させる駆動源と、回動扉２２０を回動させる駆動源とを共通のソレノイド２７０で兼用させることができるので、コストダウンを図ることができる。
【０１３１】
なお、本発明の範囲には属さないが、本実施形態において、進退ガイド部材２３０が前方に引っ張られた場合に、シーソー部材２５０の下端部（下端連結凸部２５５）と進退ガイド部材２３０の後側摺接面２３６Ｂとの摺接を禁止するかわりに、シーソー部材２５０の上端連結凸部２５４と陥没凹所２７７との間の摺接を禁止することで、進退ガイド部材２３０の遊技板１１前面からの突出を禁止する構成としても、本実施形態と同様の効果を奏する。
【０１３２】
［第２実施形態］
以下、本発明の第２実施形態を、図１７〜２５に基づいて説明する。本実施形態は、回動扉４２０、可動舌片４３０（本発明の「進退ガイド部材」にも相当する）の構成が主として第１実施形態と異なる。以下、回動扉４２０、可動舌片４３０について説明し、それ以外の構成については、第１実施形態と同一の符号を付して説明を省略する。なお、サイド始動入賞口４０Ａの奥側部分が本発明の「遊技球導入孔」に相当する。
【０１３３】
回動扉４２０は、遊技板１１と平行かつ水平な回動軸を中心に回動可能となっている。図１７に示すように、回動扉４２０は、水平方向で対向した１対の側部壁４２１，４２１の間を、サイド始動入賞口４０Ａを開閉するシャッター部４２２で連絡してなる。１対の側部壁４２１，４２１の外側面からは、相反する方向に１対の回動軸部４２３，４２３が突出している。
【０１３４】
図２２に示すように、回動扉４２０のシャッター部４２２は、回動軸部４２３，４２３と直交する断面が略「く」の字に湾曲し、回動扉４２０がサイド始動入賞口４０Ａを閉鎖した状態のときに前側に位置して略鉛直に起立する扉主体壁４２２Ａと、この状態で扉主体壁４２２Ａの上端部から後方に向かって延びる入賞補助壁４２２Ｂとからなっている。扉主体壁４２２Ａは、遊技球の噛み込みを防止するために断面Ｖ字形になっている。また、扉主体壁４２２Ａは、回動軸部４２３，４２３から離れて位置し、回動扉４２０が開放した状態から閉じた状態へと回動するにつれて、略水平な状態から前方に回動して略鉛直に起立した状態になる（図２２、図２４参照）。入賞補助壁４２２Ｂは、回動扉４２０が開放した状態で、サイド始動入賞口４０Ａの奥側へ向かって下るように傾斜している。
【０１３５】
また、シャッター部４２２の幅はサイド始動入賞口４０Ａの横幅よりも若干狭くなっている一方、１対の側部壁４２１，４２１の幅はサイド始動入賞口４０Ａの横幅よりも広くなっている。そして、回動扉４２０が完全に閉じた状態では、側部壁４２１の前面がサイド始動入賞口４０Ａの側縁部と当接して、回動扉４２０がさらにサイド始動入賞口４０Ａを閉鎖する側へ回動するのを防いでいる。
【０１３６】
１対の側部壁４２１，４２１のうち、回動軸部４２３，４２３を挟んでシャッター部４２２とは反対側にはそれぞれ扉回動突部４２４，４２４が設けられている。また、側部壁４２１，４２１には、回動扉４２０が完全に開放した開放端位置にあるときに扉回動突部４２４の後方に位置すると共に下方に突出した位置決め当接部４２５，４２５（図２４参照。同図には一方のみが示されている）が形成されている。
【０１３７】
図２０に示すように、可動舌辺４３０は上方から見ると、左右対称な形状をなし、その前端部（図２０における下側端部）には、全体より段付き状に幅狭になった出没突片部４４０が備えられている。そして、出没突辺部４４０は、遊技球の直径より若干幅広で、サイド始動入賞口４０Ａの下側幅広部分に挿通可能な幅になっている。
【０１３８】
図１９に示すように、出没突辺部４４０の上面のうち、横幅方向の両側部には、両側方に向かって下るように傾斜した１対の外下り傾斜面４４０Ｓ，４４０Ｓが形成されている。また、出没突辺部４４０のうち１対の外下り傾斜面４４０Ｓ、４４０Ｓの間には、中央に向かうに従って下るように極緩やかに傾斜すると共に後方に向かって下るように緩やかに傾斜した引き込み傾斜面４４０Ｈが形成されている（図２１参照）。さらに、出没突辺部４４０の上面には、引き込み傾斜面４４０Ｈの後端から後方に向かって比較的急峻に下っている誘導傾斜面４４０Ｙが形成されている。
【０１３９】
図２０に示すように、可動舌辺４３０は上方から見た場合の出没突辺部４４０より後側部分は、略四角形のベース部４３１の後端部における幅方向の中央からは台形突部２３１Ｄを後方に突出した形状になっている。そして、ベース部４３１の幅方向の中央には、前端位置から後端位置に亘って球通過長孔４３８が上下に貫通形成されている。球通過長孔４３８は、遊技球が１つ丁度通過可能でかつ出没突辺部４４０の幅より若干小さい幅になっている。また、球通過長孔４３８の前端部は半円形になって一部が出没突辺部４４０の基端部まで達し、球通過長孔４３８の後端部は、台形突部４３１Ｄの底辺と平行になってベース部４３１の後端寄り位置に達している。
【０１４０】
可動舌辺４３０のうち出没突辺部４４０の基端部からベース部２３１の前後方向の中間位置に亘った範囲には、球通過長孔４３８の両側縁部に沿って上下方向に延びた１対の扉駆動突壁４３３，４３３が突出形成されている。そして、ベース部４３１のうち扉駆動突壁４３３より後側部分全体が、扉駆動突壁４３３の後端部上面と面一の上面を有するように上下方向に厚くなった動力受部４３０Ｐになっている。
【０１４１】
動力受部４３０Ｐのうち球通過長孔４３８を挟んで対向した対向内側面には、１対の連結凹部４３４，４３４が陥没形成されている。各連結凹部４３４は、下端側が窄んだ略三角形の干渉回避凹部４３５と、その干渉回避凹部４３５のうち球通過長孔４３８から離れた側の奥面に陥没形成されて上下方向に延びた係合溝部４３６とからなる。係合溝部４３６のうち前側に配置された前側摺接面４３６Ａは、上下方向に真っ直ぐ延びている。係合溝部４３６のうち後側に配置された後側摺接面４３６Ｂは、上下方向の中間位置より下側部分が前方に張り出し、本発明に係るシーソー用ストッパ部４３７になっている。シーソー用ストッパ部４３７の上端のストッパ当接面４３７Ｓは、前側摺接面４３６Ａに向かって下るように若干傾斜している（図２１参照）となっている。
【０１４２】
図１８，図２１に示すように、各扉駆動突壁４３３は、前後方向の中間位置に中間陥没部４３３Ｋを備え、その中間陥没部４３３Ｋより前側が本発明に係る前側押圧突部４４１となり、中間陥没部４３３Ｋより後側が本発明に係る後側押圧突部４４２になっている。後側押圧突部４４２は動力受部４３０Ｐと同じ高さをなし、前側押圧突部４４１は、動力受部４３０Ｐより低くなっている。また、中間陥没部４３３Ｋの底面は、水平で平坦な中間陥没平坦面４３３Ｎになっている。そして、前側押圧突部４４１の後面は、本発明に係る閉塞押圧部４４１Ｋになっていて、中間陥没平坦面４３３Ｎから垂直に立ち上がっている。また、前側押圧突部４４１の上面は、本発明に係る扉用ストッパ部４４１Ｊになっていて、水平平坦になっている。一方、後側押圧突部２４２の前面は、本発明に係る開放押圧部４４２Ｚになっていて、これも中間陥没平坦面４３３Ｎから垂直に立ち上がっている。なお、前側押圧突部４４１の前面は、後面である閉塞押圧部４４１Ｋと平行になっていて途中からなだらかに前側に傾斜して、前述した外下り傾斜面４４０Ｓ，４４０Ｓの後端まで延びている。
【０１４３】
可動舌辺４３０における連結凹部４３４，４３４には、シーソー部材２５０の下端部が係合し、可動舌辺４３０における側壁部４３３，４３３には、回動扉４２０の扉回動突部４２４，４２４がそれぞれ係合している。これにより、可動舌辺４３０がシーソー部材２５０を介してソレノイド２７０から動力を受けて駆動され、その可動舌辺４３０から回動扉４２０が動力を受けて駆動される（図２２参照）。なお、シーソー部材２５０から可動舌辺４３０への動力の伝達については、第１実施形態と同様であるので、説明を省略する。
【０１４４】
次に、可動舌辺４３０から回動扉４２０への動力の伝達について説明する。可動舌辺４３０の扉駆動突壁４３３，４３３には、回動扉４２０の扉回動突部４２４，４２４がそれぞれ係合して、これにより、回動扉４２０が可動舌辺４３０から動力を受けて回動する。具体的には、可動舌辺４３０が後端退避位置（本発明の「退避位置」にも相当する）に配置され、出没突辺部４４０全体がサイド始動入賞口４０Ａの奥側に退避している状態では、扉回動突部４２４は、前側押圧突部４４１における扉用ストッパ部４４１Ｊの上方に配置されている（図２２の状態）。このとき、回動扉４２０の回動軸部４２３は、扉回動突部４２４より斜め前方に位置している。このとき、扉回動突部４２４の下端部と後側押圧突部４４２の開放押圧部４４２Ｚとの間に、本発明に係る第１の空間Ｓ１が形成される。
【０１４５】
そして、可動舌辺４３０が後端退避位置から前進すると、図２２〜図２４への変化に示すように、前側押圧突部４４１が前方へ移動して、扉回動突部４２４の下端部と前側押圧突部４４１の扉用ストッパ部４４１Ｊとが上下方向で対向しなくなると共に、扉回動突部４２４の下端部が中間陥没平坦面４３３Ｎと上下方向で対向してその中間陥没平坦面４３３Ｎとの間には、扉回動突部４２４の回動空間が確保される。
【０１４６】
そして、可動舌辺４３０がさらに前方に向かって移動すると、扉回動突部４２４の下端部は、前記した第１の空間Ｓ１を移動し、この間、可動舌辺４３０は前進するが回動扉４２０が停止した状態に維持される。そして、図２３に示すように、可動舌辺４３０の出没突辺部４４０がサイド始動入賞口４０Ａから所定量だけ突出したときに、扉回動突部４２４の下端部が後側押圧突部４４２の前面４４２Ｚに当接する。そして、さらに可動舌辺４３０が前進することで、回動扉４２０の扉主体壁４２２Ａが持ち上げられ、サイド始動入賞口４０Ａが開放されていき（図２３、図２４参照）、可動舌辺４３０が前端作動位置（本発明の「突出位置」にも相当する）に到達したときに回動扉４２０が全開状態になって、サイド始動入賞口４０Ａに遊技球が入賞可能になる。より詳細には、回動扉４２０は、後側押圧突部４４２に押されて一定角度回転すると、自重により開放端位置へ向けて回動する。すなわち、回動扉４２０は、出没突辺部４４０がサイド始動入賞口４０Ａから約半分程度突出したときに、回動動作を開始し、出没突辺部４４０が約半分程度突出してから完全に突出するまでの比較的短期間の間に、サイド始動入賞口４０Ａが全閉状態から全開状態になる。このように本実施形態では、可動舌辺４３０が前進を開始して途中までは回動扉４２０が停止していて、途中から回動扉４２０が開き始めるという、２ステップの動作で前面開放入賞口４０Ａが開放される。そして、サイド始動入賞口４０Ａから突出した出没突辺部４４０の上面に遊技球が落下したとき、その遊技球が出没突辺部４４０に案内されてサイド始動入賞口４０Ａへと入賞し、入賞した遊技球は、検出スイッチ（図示せず）によって検出される。
【０１４７】
また、回動扉４２０が完全に開放した状態では、図２４に示すように、側部壁４２１の位置決め当接部４２５が後側押圧突部４４２の上面と当接し、回動扉４２０が開放端位置に位置決めされる。これにより、回動扉４２０のがたつきが規制される。また、この状態で、扉回動突部４２４の下端部と後側押圧突部４４２の開放押圧部４４２Ｚとの間には、本発明に係る第２の空間Ｓ２が形成される。
【０１４８】
また、可動舌辺４３０が前端作動位置から後退すると、図２４〜図２５への変化に示すように、前側押圧突部２４１が後方へ移動する。このとき、扉回動突部４２４の下端部は、第２の空間Ｓ２内を前側押圧突部４４１に向かって相対的に移動する。これにより、可動舌辺４３０における出没突辺部４４０の一部が前面開放入賞口４０Ａ内に移動する（扉回動突部４２４が開放押圧部４４２Ｚに当接した状態から閉塞押圧部４４１Ｋに当接するまで第２の空間Ｓ２内を移動する）間は、回動扉４２０は開いた状態に維持される。そして、可動舌辺４３０が所定量（扉回動突部４２４が開放押圧部４４２Ｚに当接した状態から閉塞押圧部４４１Ｋに当接するまで第２の空間Ｓ２内を移動する距離）だけ前面開放入賞口４０Ａ内に移動したときに、前側押圧突部４４１の閉塞押圧部４４１Ｋが扉回動突部４２４の下端部と当接する。このとき、可動舌辺４３０の出没突辺部４４０は、サイド始動入賞口４０Ａ内に約半分程度収容されている。そして、さらに可動舌辺４３０が後退すると、その可動舌辺４３０の後退に伴って回動扉４２０が閉じるように動作して、出没突辺部４４０が完全に退避した時点で、回動扉４２０がサイド始動入賞口４０Ａを完全に閉鎖して停止し、そのサイド始動入賞口４０Ａの奥側で可動舌辺４３０がさらに後退して扉回動突部４２４の下端部が扉用ストッパ部４４１Ｊと上下方向で対向した初期状態に戻る。このように、本実施形態では、可動舌辺４３０が後退を開始して途中までは回動扉４２０が停止していて、途中から回動扉４２０が閉じ始めるという２ステップの動作で前面開放入賞口４０Ａが閉じられる。
【０１４９】
ところで、サイド始動入賞口４０Ａが閉塞された状態（図２２の状態）で、例えば、針金等で回動扉４２０をこじ開けようとすると、扉回動突部４２４が開放する側に回動して、前側押圧突部４４１の扉用ストッパ部４４１Ｊと上下方向で当接する。これにより、回動扉４２０の不正な開放が禁止される。ここで、扉回動突部４２４が前側押圧突部４４１の扉用ストッパ部４４１Ｊを押す力の向きは上下方向になっていて、可動舌辺４３０の可動方向（前後方向）と直交しているので、回動扉４２０に不正な外力が加えられたときに、可動舌辺４３０の扉用ストッパ部４４１Ｊは、可動方向に動かされずに、回動扉４２０の不正な開放を確実に防止することができる。
【０１５０】
次に、本実施形態の作用効果について説明する。第１実施形態と同様に、サイド始動入賞口４０Ａに入賞可能とするか否かの抽選結果が当たりである場合には、可動舌辺４３０がサイド始動入賞口４０Ａの前方に前進して遊技球をサイド始動入賞口４０Ａへ案内し、サイド始動入賞口４０Ａを開放する回動扉４２０が開く。ここで、本実施形態では、サイド始動入賞口４０Ａの開放が、可動舌辺４３０が前進して、その前進の途中から回動扉４２０が開き始めるという２ステップの動作で行われるので、両方の動作に興味を持たせることができる。しかも、本実施形態の構成によれば、可動舌辺４３０が遊技球を受け止め可能になるまでは遊技球の入賞を防ぐことができる。さらに、出没突辺部４４０の側部に遊技球が受け止められた場合には、その遊技球は外側にはじかれてサイド始動入賞口４０Ａに入球しないが、出没突辺部４４０中間部に遊技球が受け止められた場合には、遊技球は出没突辺部４４０の幅方向の中央に集められてサイド始動入賞口４０Ａの奥側へ案内されるので、出没突辺部４４０のどの位置で遊技球が受け止められるかについて遊技者に興味を持たせることができる。
【０１５１】
また、可動舌辺４３０が突出してから所定期間が経過すると、可動舌辺４３０が後退してサイド始動入賞口４０Ａ内にある程度収容された後、回動扉４２０が閉まってサイド始動入賞口４０Ａへの入球が規制される。このように、本実施形態では、サイド始動入賞口４０Ａの閉塞が従来にはない新規な動作で行われるので、新鮮味を遊技者に与えて、趣向性を高めることができる。ここで仮に、回動扉４２０の扉主体壁４２２Ａが開放端位置から鉛直下方に移動して閉まると、可動舌辺４３０が後退する途中で出没突辺部４４０に受け止められた遊技球が扉主体壁４２２Ａによって外側にはじかれる可能性がある。しかしながら、本実施形態では、扉主体壁４２２Ａが回動軸部４２３を中心にしてサイド始動入賞口４０Ａの奥側に遊技球を掻き込むように回動するので、遊技球を入賞させ易くして遊技者を喜ばせることができる。
【０１５２】
ところで、本実施形態では、第１実施形態と同様に、可動舌辺４３０を不正に引っ張り出そうとしてもシーソー用ストッパ部４３７がシーソー部材２５０の回動を規制するので、可動舌辺４３０を不正に引っ張り出した状態で遊技を行ってサイド始動入賞口４０Ａに遊技球を入球させて、賞球を取得するという不正行為が防ぐことができる。
【０１５３】
また、サイド始動入賞口４０Ａが閉まった状態（図２２参照）で、回動扉４２０を不正にこじ開けて、その状態で遊技を行ってサイド始動入賞口４０Ａに遊技球を入球させ、賞球を取得するという不正行為が行われる可能性があるが、本実施形態では、前述の如く、サイド始動入賞口４０Ａが閉まっているとき、扉回動突部４２４の回動が扉用ストッパ部４４１Ｊによって規制されるので、このような不正行為が防がれる。しかも、扉回動突部４２４を回動扉４２０の両側部に、扉用ストッパ部４４１Ｊを可動舌辺４３０の両側部に、それぞれ対にして配置したので、それら扉回動突部４２４、扉用ストッパ部４４１Ｊを１組だけ設けた場合に比べて負荷が分散されて変形が防がれる。
【０１５４】
このように、本実施形態では、可動舌辺４３０を不正に引っ張り出そうとしても、シーソー用ストッパ部４３７がシーソー部材２５０の回動を規制するので、可動舌辺４３０をサイド始動入賞口４０Ａの前方に引っ張り出す不正を防止することができる。しかも、サイド始動入賞口４０Ａが閉塞した状態で不正に回動扉４２０を開けようとしても、扉用ストッパ部４４１Ｊが回動扉４２０の開動作を規制するので、回動扉４２０の不正な開放を防止することができる。
【０１５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１５６】
（１）前記第１及び第２実施形態では、パチンコ遊技機１０に本発明を適用していたがアレンジボール等に本発明を適用してもよい。
【０１５７】
（２）前記第１実施形態では、シーソー部材２５０の下端部に備えた１対の下端連結凸部２５５，２５５の両方にストッパ凹部２５８，２５８を形成すると共に、進退ガイド部材２３０に備えた１対の第２凹部２３６，２３６の両方に段差部２３７，２３７を形成していたが、これらは、何れか一方だけに備えていてもよい。
【０１５８】
（３）前記第１実施形態では、進退ガイド部材２３０の両側壁部２３３，２３３が段階的に高くなるように構成していたが、両側壁部２３３，２３３の上面をガイドプレート２４０から後方に向かうに従って滑らかに迫り上がる傾斜面として、進退ガイド部材２３０が退避位置と突出位置との間で移動する全期間に亘って、回動扉２２０が徐々に開閉するようにしてもよい。
【０１５９】
（４）前記第１実施形態では、シーソー部材２５０の回動軸部２５３、上端連結凸部２５４、下端連結凸部２５５を遊技板１１と平行かつ水平としていたが、プランジャ２７４の直動を進退ガイド部材２３０の進退動作に変換できる構成であれば、回動軸部２５３、上端連結凸部２５４、下端連結凸部２５５の向きは限定するものではない。
【０１６０】
（５）前記第２実施形態では、前側押圧突部４４１及び後側押圧突部４４２と扉回動突部４２４とが当接する構成であったが、図２６に示すように、可動舌片４３０Ｖの扉駆動突壁４３３Ｖの上面に前後方向の中間部で底面が段突き状になった突部受容凹部４９０を陥没形成し、その突部受容凹部４９０に扉回動突部４２４が受容される構成であってもよい。この場合、突部受容凹部４９０の後側の内側面が開放押圧部４９２Ｚに、底面の段付き部分が閉塞押圧部４９１Ｋに、底面のうち段突き部分より前側が扉用ストッパ部４９１Ｊになっている。
【０１６１】
（６）また、図２７に示すように、可動舌片４３０Ｗの扉駆動突壁４３３Ｗを横方向に貫通する断面Ｌ字形状の係止孔４９５を設け、回動扉４２０Ｗの側部壁４２１Ｗから外側に向かって側方に張り出した係合突部４９６が係止孔４９５に遊嵌されるようにしてもよい。
【０１６２】
（７）前記第２実施形態では、前側押圧突部４４１と後側押圧突部４４２とが備えられていたが、前側押圧突部４４１だけが備えられていてもよい。この場合であっても、回動扉４２０の不正な開放を防ぐことができる。
【０１６３】
（８）前記第２実施形態では、回動扉４２０が閉まり始めるタイミングが、進退ガイド部材４３０の出没突片部４４０がサイド始動入賞口４０Ａ内に完全に収容される前であったが、出没突片部４４０がサイド始動入賞口４０Ａの奥側に完全に退避した時或いは退避した後であってもよい。この構成によれば、進退ガイド部材４３０に受け止められた遊技球と回動扉４２０の扉主体壁４２２Ａの先端との噛み込みを防ぐことができる。なお、このような構成は、閉塞押圧部４４１Ｋを前記第２実施形態よりも前側に配置したり、扉回動突部４２４の先端部を円弧状に形成して閉塞押圧部４４１Ｋとの当接を遅らせることで実現することができる。
【符号の説明】
【０１６４】
１０    パチンコ遊技機
１１    遊技板
４０Ａ    サイド始動入賞口
２２０，４２０，４２０Ｗ    回動扉
２３０    進退ガイド部材
２３４    連結凹部
２３５    第１凹部
２３６    第２凹部
２３６Ａ    前側摺接面
２３６Ｂ    後側摺接面
２３７    段差部（シーソー用ストッパ突部）
２３７Ｓ    ストッパ当接面
２４０    ガイドプレート
２４１    突条（突起部）
２５０    シーソー部材
２５３    回動軸部
２５４    上端連結凸部
２５５    下端連結凸部
２５７    三角突条
２５８    ストッパ凹部
２７０    ソレノイド（直動駆動源）
２７４    プランジャ（直動部材）
４２４    扉回動突部
４２５    位置決め当接部
４３０，４３０Ｖ，４３０Ｗ    可動舌片
４３７    シーソー用ストッパ突部
４４０    出没突片部
４４０Ｓ    外下り傾斜面
４４０Ｈ    引き込み傾斜面
４４１    前側押圧突部
４４１Ｊ，４９１Ｊ    扉用ストッパ部
４４１Ｋ，４９１Ｋ    閉塞押圧部
４４２    後側押圧突部
４４２Ｚ，４９２Ｚ    開放押圧部
Ｍ１    第１平面
Ｍ２    第２平面
Ｓ１    第１の空間
Ｓ２    第２の空間
【図１】
2010131379.tif 000003
【図２】
2010131379.tif 000004
【図３】
2010131379.tif 000005
【図４】
2010131379.tif 000006
【図５】
2010131379.tif 000007
【図６】
2010131379.tif 000008
【図７】
2010131379.tif 000009
【図８】
2010131379.tif 000010
【図９】
2010131379.tif 000011
【図１０】
2010131379.tif 000012
【図１１】
2010131379.tif 000013
【図１２】
2010131379.tif 000014
【図１３】
2010131379.tif 000015
【図１４】
2010131379.tif 000016
【図１５】
2010131379.tif 000017
【図１６】
2010131379.tif 000018
【図１７】
2010131379.tif 000019
【図１８】
2010131379.tif 000020
【図１９】
2010131379.tif 000021
【図２０】
2010131379.tif 000022
【図２１】
2010131379.tif 000023
【図２２】
2010131379.tif 000024
【図２３】
2010131379.tif 000025
【図２４】
2010131379.tif 000026
【図２５】
2010131379.tif 000027
【図２６】
2010131379.tif 000028
【図２７】
2010131379.tif 000029